(57)【要約】【課題】パラメータの階層構造が複雑化した場合に、各パラメータの階層関係を把握せずとも、所望のパラメータの設定および変更を効率よく行うことができる信号処理装置および信号処理方法を提供する。【解決手段】ガイド機能が有効化されると、メイン表示部３１に、設定および変更が可能なパラメータ６２ａ〜６２ｈが表示される。パラメータ６２ａ〜６２ｈのうち、例えば、パラメータ６２ｆである「Reference Signal Using Cell ＩＤ」のパラメータ値を設定および変更しようとする場合には、サブ表示部３２のＦ１キー〜Ｆ８キーに表示されるメニューのうち、パラメータ６２ｆと"同色"で表示される、Ｆ３キーのメニュー（「Common Setting」）を選択するように、選択すべきメニューを"色"により促す構成とされている。【選択図】図７
2015052519.tif 000002
【特許請求の範囲】
【請求項１】
被測定物からの被測定信号（Ｓ）に対して所定の信号処理を施す信号処理手段（１０ａ）と、
前記信号処理手段からの出力信号に基づいて、横軸が周波数、縦軸が振幅レベルであるグラフを主表示画面（３１）上に表示させるとともに、前記被測定信号に対して前記所定の信号処理を施すための、各種の処理項目に対する各設定項目に応じたメニューが個々に割り当てられる複数のファンクションキー（Ｆ１〜Ｆ８）を副表示画面（３２）上に表示させる表示手段（３０）と、
前記各設定項目の設定値に基づいて、前記信号処理手段を制御するとともに、前記被測定信号に対する信号処理の結果を前記主表示画面上に表示させる制御手段（４０）と、を備えた信号処理装置であって、
前記各設定項目を階層構造化し、該階層構造における前記各設定項目の階層関係を管理するための階層情報（４３ａ）を記憶する階層情報記憶手段（４３）と、
前記階層情報に基づいて、上下の階層関係を有する、上位の各設定項目のそれぞれに対応する下位の各設定項目に対して異なる色を割り当てるための色情報（４４ａ）を記憶する色情報割当手段（４４）と、をさらに有し、
前記制御手段は、
前記主表示画面上に前記設定値の設定および変更が可能な設定項目を選択的に表示させるとともに、前記階層情報に基づいて、前記主表示画面上に選択的に表示された前記設定項目のそれぞれに対応する各階層の設定項目の項目名を前記メニューとして、前記副表示画面上の前記複数のファンクションキーにそれぞれ表示させる設定項目表示制御手段（４０ａ）と、
前記色情報にしたがって、前記主表示画面上に選択的に表示された設定項目のそれぞれと、前記設定項目のそれぞれに対応する、前記副表示画面上の前記複数のファンクションキーにそれぞれ表示させたメニューと、を同一色により表示させる色表示制御手段（４０ｂ）と、を含むことを特徴とする信号処理装置。
【請求項２】
前記制御手段は、前記複数のファンクションキーのいずれかが選択されたことを条件に、前記複数のファンクションキーの表示を、前記階層情報に基づいて、表示されているメニューよりも下位の設定項目に対応するメニューに切り替えるメニュー切替手段（４０ｃ）を、さらに含むことを特徴とする請求項１に記載の信号処理装置。
【請求項３】
前記各設定項目の設定値を保存する保存手段（４１）と、
前記設定値の設定および変更を行う操作手段（５０）と、をさらに備え、
前記制御手段は、
前記操作手段を介して、設定および変更すべき設定値が入力されたことを条件に、前記保存手段で保存されている設定値を更新する更新手段（４０ｄ）を、さらに含むことを特徴とする請求項１または２に記載の信号処理装置。
【請求項４】
前記制御手段は、前記主表示画面上に設定値の設定および変更が可能な全設定項目を一括して表示させることを特徴とする請求項１〜３のいずれか一項に記載の信号処理装置。
【請求項５】
前記制御手段は、前記階層情報として、前記主表示画面上に表示させるべき設定項目が存在しない階層に関しては、前記副表示画面でのファンクションキーの表示を非表示状態とすることを特徴とする請求項１〜４のいずれか一項に記載の信号処理装置。
【請求項６】
信号処理手段（１０ａ）によって、被測定物からの被測定信号（Ｓ）に対して所定の信号処理を施すことと、
表示手段（３０）によって、前記信号処理手段からの出力信号に基づいて、横軸が周波数、縦軸が振幅レベルであるグラフを主表示画面（３１）上に表示させるとともに、前記被測定信号に対して前記所定の信号処理を施すための、各種の処理項目に対する各設定項目に応じたメニューが個々に割り当てられる複数のファンクションキー（Ｆ１〜Ｆ８）を副表示画面（３２）上に表示させることと、
制御手段（４０）によって、前記各設定項目の設定値に基づいて、前記信号処理手段を制御するとともに、前記被測定信号に対する信号処理の結果を前記主表示画面上に表示させることと、を備えた信号処理方法であって、
階層情報記憶手段（４３）によって、前記各設定項目を階層構造化し、該階層構造における前記各設定項目の階層関係を管理するための階層情報（４３ａ）を記憶しておき、
色情報割当手段（４４）によって、前記階層情報に基づいて、上下の階層関係を有する、上位の各設定項目のそれぞれに対応する下位の各設定項目に対して異なる色を割り当てるための色情報（４４ａ）を記憶しておくことと、をさらに有し、
前記制御手段は、
設定項目表示制御手段（４０ａ）によって、前記主表示画面上に前記設定値の設定および変更が可能な設定項目を選択的に表示させるとともに、前記階層情報に基づいて、前記主表示画面上に選択的に表示された前記設定項目のそれぞれに対応する各階層の設定項目の項目名を前記メニューとして、前記副表示画面上の前記複数のファンクションキーにそれぞれ表示させるステップ（Ｓ１２）と、
色表示制御手段（４０ｂ）によって、前記色情報にしたがって、前記主表示画面上に選択的に表示された設定項目のそれぞれと、前記設定項目のそれぞれに対応する、前記副表示画面上の前記複数のファンクションキーにそれぞれ表示させたメニューと、を同一色により表示させるステップ（Ｓ１３）と、を含むことを特徴とする信号処理方法。
【請求項７】
前記制御手段は、
メニュー切替手段（４０ｃ）によって、前記複数のファンクションキーのいずれかが選択されたことを条件に、前記複数のファンクションキーの表示を、前記階層情報に基づいて、表示されているメニューよりも下位の設定項目に対応するメニューに切り替えるステップ（Ｓ１６）を、さらに含むことを特徴とする請求項６に記載の信号処理方法。
【請求項８】
保存手段（４１）によって、前記各設定項目の設定値を保存しておき、
操作手段（５０）によって、前記設定値の設定および変更を行うステップ（Ｓ１７）、をさらに備え、
前記制御手段は、
更新手段（４０ｄ）によって、前記操作手段を介して、設定および変更すべき設定値が入力されたことを条件に、前記保存手段で保存されている設定値を更新するステップ（Ｓ１８）を、さらに含むことを特徴とする請求項６または７に記載の信号処理方法。
【発明の詳細な説明】
【技術分野】
【０００１】
本発明は、スペクトラムアナライザなどの信号解析装置に適用される信号処理装置および信号処理方法に関する。
【背景技術】
【０００２】
従来、信号を解析などするための信号処理装置としては、例えば、特許文献１に記載の変調信号解析装置が知られている。
【０００３】
特許文献１に記載の変調信号解析装置は、移動体通信システムにおける基地局や移動局に組み込まれ、ＣＤＭＡ（Code Division Multiple Access）方式の変調信号を受信する受信モジュールにおける受信性能を試験するためのものであって、特に、受信モジュール評価システムにおいて、試験対象受信モジュールの出力信号を測定信号として取り込んで解析するように構成されている。
【０００４】
通常、このような変調信号解析装置は、解析処理を行う際に、各種の測定項目に対する処理の条件などをパラメータ（設定値）として設定でき、または、その設定を切り替えることができるように構成されている。
【０００５】
すなわち、従来の変調信号解析装置は、表示画面上に、解析処理の結果のみでなく、処理の条件などの設定項目が表示されるようになっており、装置本体が備える操作部のハードウェアキーを操作することによって、各設定項目に対するパラメータ値の設定および変更が可能とされている。
【０００６】
しかし、変調信号解析装置によって、例えば無線通信システムの解析処理を行う場合においては、設定できるパラメータ数が増大しており、パラメータ毎にハードウェアキーを割り当てることが困難になってきている。
【０００７】
そこで、近年では、割り当てられるパラメータを動的に切り替えることが可能なファンクションキーを設け、ハードウェアキーの個数を削減できるようにした変調信号解析装置が開発されている。
【０００８】
すなわち、この種の変調信号解析装置は、増大するパラメータを階層構造化し、各階層のパラメータに応じてファンクションキーの割り当てを動的に切り替えることによって、１つのファンクションキーにより複数のパラメータの設定および変更を可能にしたものである。
【先行技術文献】
【特許文献】
【０００９】
【特許文献１】特許第３７８２３８２号（特開２００４−９６２６３号）公報
【発明の概要】
【発明が解決しようとする課題】
【００１０】
しかしながら、ファンクションキーを採用することで、設定および変更できるパラメータ数の増加に対応できるものの、パラメータ数が増大するにつれて階層構造が複雑化し、この階層構造における階層関係を理解していないユーザはパラメータの設定および変更を効率よく行うことができないという問題があった。
【００１１】
このように、従来は、パラメータの階層構造が複雑化するのに伴い、所望のパラメータに辿り着くまでの操作手順を理解するためにも、各パラメータの階層関係を把握しておく必要があった。
【００１２】
本発明は、上述のような課題に鑑みてなされたものであり、設定項目の階層構造が複雑化したとして、各設定項目の階層関係を把握せずとも、所望の設定項目値の設定および変更を効率よく行うことができる信号処理装置および信号処理方法を提供することを目的とする。
【課題を解決するための手段】
【００１３】
本発明の請求項１に係る信号処理装置（信号解析装置１０）は、被測定物からの被測定信号（入力信号Ｓ）に対して所定の信号処理を施す信号処理手段（解析処理部１０ａ）と、前記信号処理手段からの出力信号（デジタルデータ）に基づいて、横軸が周波数、縦軸が振幅レベル（デシベル）であるグラフ（α）を主表示画面（メイン表示部３１）上に表示させるとともに、前記被測定信号に対して前記所定の信号処理を施すための、各種の処理項目（測定項目）に対する各設定項目（複数のパラメータ）に応じたメニューが個々に割り当てられる複数のファンクションキー（ファンクション表示キーＦ１〜Ｆ８／ＦｘキーＦ１〜Ｆ８）を副表示画面（サブ表示部３２）上に表示させる表示手段（表示装置３０）と、前記各設定項目の設定値（パラメータ値）に基づいて、前記信号処理手段を制御するとともに、前記被測定信号に対する信号処理の結果を前記主表示画面上に表示させる制御手段（制御装置４０）と、を備えたものであって、前記各設定項目を階層構造化し、該階層構造（メニュー構成）における前記各設定項目の階層関係を管理するための階層情報（階層情報管理テーブル４３ａ）を記憶する階層情報記憶手段（階層情報記憶部４３）と、前記階層情報に基づいて、上下の階層関係を有する、上位の各設定項目のそれぞれに対応する下位の各設定項目に対して異なる色（表示色データ）を割り当てるための色情報（表示色データ管理テーブル４４ａ）を記憶する色情報割当手段（色情報記憶部４４）と、をさらに有し、前記制御手段は、前記主表示画面上に前記設定値の設定および変更が可能な設定項目を選択的に表示させるとともに、前記階層情報に基づいて、前記主表示画面上に選択的に表示された前記設定項目のそれぞれに対応する各階層の設定項目の項目名（パラメータ名）を前記メニューとして、前記副表示画面上の前記複数のファンクションキーにそれぞれ表示させる設定項目表示制御手段（パラメータ表示制御部４０ａ）と、前記色情報にしたがって、前記主表示画面上に選択的に表示された設定項目のそれぞれと、前記設定項目のそれぞれに対応する、前記副表示画面上の前記複数のファンクションキーにそれぞれ表示させたメニューと、を同一色により表示させる色表示制御手段（色表示制御部４０ｂ）と、を含む構成である。
【００１４】
この構成により、本発明の請求項１に係る信号処理装置は、主表示画面上に選択的に表示される設定値の設定および変更が可能な設定項目が、該設定項目に対応して副表示画面上の複数のファンクションキーにそれぞれ表示されるメニューと同一色により表示されるようにしているので、所望の設定値を設定および変更するために操作すべきファンクションキーを色によって特定させることが可能となる。したがって、本発明の請求項１に係る信号処理装置は、設定項目数の増加に伴って設定項目の階層構造がより複雑化したとしても、常に最良な操作手順を案内できるようになる。
【００１５】
故に、本発明の請求項１に係る信号処理装置は、各設定項目の階層関係を把握していない場合にも、所望の設定値を設定および変更することが最良の操作手順により容易に可能となるものである。
【００１６】
また、本発明の請求項２に係る信号処理装置において、前記制御手段は、前記複数のファンクションキーのいずれかが選択されたことを条件に、前記複数のファンクションキーの表示を、前記階層情報に基づいて、表示されているメニューよりも下位の設定項目に対応するメニューに切り替えるメニュー切替手段（パラメータ表示切替部４０ｃ）を、さらに含む構成である。
【００１７】
この構成により、本発明の請求項２に係る信号処理装置は、キー入力操作に伴って、ファンクションキーの表示が、表示されているメニューよりも下位の設定項目に対応するメニューに自動的に切り替わるようにしているので、タッチパネルやマウス、トラックボールなどのポインティングデバイスを用いることなく、単に、メイン表示画面上に選択的に表示される設定項目と同じ色で表示されるファンクションキーを順番に操作することのみによって、所望の設定値の設定および変更を行うことが可能となる。
【００１８】
また、本発明の請求項３に係る信号処理装置において、前記各設定項目の設定値を保存する保存手段（ＲＡＭ４１）と、前記設定値の設定および変更を行う操作手段（操作部５０）と、をさらに備え、前記制御手段は、前記操作手段を介して、設定および変更すべき設定値が入力されたことを条件に、前記保存手段で保存されている設定値を更新する更新手段（設定・更新部４０ｄ）を、さらに含む構成である。
【００１９】
この構成により、本発明の請求項３に係る信号処理装置は、設定値を設定および変更するための所望の設定項目に辿り着くまでの操作手順を把握せずとも、所望の設定値を設定および変更することが容易に可能となる。
【００２０】
また、本発明の請求項４に係る信号処理装置において、前記制御手段は、前記主表示画面上に設定値の設定および変更が可能な全設定項目を一括して表示させる構成を、さらに有する。
【００２１】
この構成により、本発明の請求項４に係る信号処理装置は、全設定項目に対する設定値の設定および変更が容易に可能となる。
【００２２】
また、本発明の請求項５に係る信号処理装置において、前記制御手段は、前記階層情報として、前記主表示画面上に表示させるべき設定項目が存在しない階層に関しては、前記副表示画面でのファンクションキーの表示を非表示状態とする構成を、さらに有する。
【００２３】
この構成により、本発明の請求項５に係る信号処理装置は、キー入力操作する際のファンクションキーの表示数を減らすことが可能となり、よりスムーズなキー入力操作を実現できる。
【００２４】
また、本発明の請求項６に係る信号処理方法は、信号処理手段（解析処理部１０ａ）によって、被測定物からの被測定信号（入力信号Ｓ）に対して所定の信号処理を施すことと、表示手段（表示装置３０）によって、前記信号処理手段からの出力信号（デジタルデータ）に基づいて、横軸が周波数、縦軸が振幅レベル（デシベル）であるグラフ（α）を主表示画面（メイン表示部３１）上に表示させるとともに、前記被測定信号に対して前記所定の信号処理を施すための、各種の処理項目（測定項目）に対する各設定項目（複数のパラメータ）に応じたメニューが個々に割り当てられる複数のファンクションキー（ファンクション表示キーＦ１〜Ｆ８／ＦｘキーＦ１〜Ｆ８）を副表示画面（サブ表示部３２）上に表示させることと、制御手段（制御装置４０）によって、前記各設定項目の設定値（パラメータ値）に基づいて、前記信号処理手段を制御するとともに、前記被測定信号に対する信号処理の結果を前記主表示画面上に表示させることと、を備えた場合であって、階層情報記憶手段（階層情報記憶部４３）によって、前記各設定項目を階層構造化し、該階層構造（メニュー構成）における前記各設定項目の階層関係を管理するための階層情報（階層情報管理テーブル４３ａ）を記憶しておき、色情報割当手段（色情報記憶部４４）によって、前記階層情報に基づいて、上下の階層関係を有する、上位の各設定項目のそれぞれに対応する下位の各設定項目に対して異なる色（表示色データ）を割り当てるための色情報（表示色データ管理テーブル４４ａ）を記憶しておくことと、をさらに有し、前記制御手段は、設定項目表示制御手段（パラメータ表示制御部４０ａ）によって、前記主表示画面上に前記設定値の設定および変更が可能な設定項目を選択的に表示させるとともに、前記階層情報に基づいて、前記主表示画面上に選択的に表示された前記設定項目のそれぞれに対応する各階層の設定項目の項目名（パラメータ名）を前記メニューとして、前記副表示画面上の前記複数のファンクションキーにそれぞれ表示させるステップ（Ｓ１２）と、色表示制御手段（色表示制御部４０ｂ）によって、前記色情報にしたがって、前記主表示画面上に選択的に表示された設定項目のそれぞれと、前記設定項目のそれぞれに対応する、前記副表示画面上の前記複数のファンクションキーにそれぞれ表示させたメニューと、を同一色により表示させるステップ（Ｓ１３）と、を含む構成である。
【００２５】
この構成により、本発明の請求項６に係る信号処理方法は、主表示画面上に選択的に表示される設定値の設定および変更が可能な設定項目が、該設定項目に対応して副表示画面上の複数のファンクションキーにそれぞれ表示されるメニューと同一色により表示されるようにしているので、所望の設定値を設定および変更するために操作すべきファンクションキーを色によって特定させることが可能となる。したがって、本発明の請求項６に係る信号処理方法は、設定項目数の増加に伴って設定項目の階層構造がより複雑化したとしても、常に最良な操作手順を案内できるようになる。
【００２６】
故に、本発明の請求項６に係る信号処理方法は、各設定項目の階層関係を把握していない場合にも、所望の設定値を設定および変更することが最良の操作手順により容易に可能となる。
【００２７】
また、本発明の請求項７に係る信号処理方法において、前記制御手段は、メニュー切替手段（パラメータ表示切替部４０ｃ）によって、前記複数のファンクションキーのいずれかが選択されたことを条件に、前記複数のファンクションキーの表示を、前記階層情報に基づいて、表示されているメニューよりも下位の設定項目に対応するメニューに切り替えるステップ（Ｓ１６）を、さらに含む構成である。
【００２８】
この構成により、本発明の請求項７に係る信号処理方法は、キー入力操作に伴って、ファンクションキーの表示が、表示されているメニューよりも下位の設定項目に対応するメニューに自動的に切り替えるようにしているので、タッチパネルやマウス、トラックボールなどのポインティングデバイスを用いることなく、単に、メイン表示画面上に選択的に表示される設定項目と同じ色で表示されるファンクションキーを順番に操作することのみによって、所望の設定値の設定および変更を行うことが可能となる。
【００２９】
また、本発明の請求項８に係る信号処理方法において、保存手段（ＲＡＭ４１）によって、前記各設定項目の設定値を保存しておき、操作手段（操作部５０）によって、前記設定値の設定および変更を行うステップ（Ｓ１７）、をさらに備え、前記制御手段は、更新手段（設定・更新部４０ｄ）によって、前記操作手段を介して、設定および変更すべき設定値が入力されたことを条件に、前記保存手段で保存されている設定値を更新するステップ（Ｓ１８）を、さらに含む構成である。
【００３０】
この構成により、本発明の請求項８に係る信号処理方法は、設定値を設定および変更するための所望の設定項目に辿り着くまでの操作手順を把握せずとも、所望の設定値を設定および変更することが容易に可能となる。
【発明の効果】
【００３１】
本発明は、設定項目の階層構造が複雑化したとして、各設定項目の階層関係を把握せずとも、所望の設定項目値の設定および変更を効率よく行うことができる信号処理装置および信号処理方法を提供することができる。
【図面の簡単な説明】
【００３２】
【図１】本発明の実施の形態に係る信号解析装置の構成を示す外観図である。
【図２】本発明の実施の形態に係る信号解析装置の表示画面を示す図である。
【図３】本発明の実施の形態に係る信号解析装置の構成を示す機能ブロック図である。
【図４】本発明の実施の形態に係る信号解析装置における階層情報管理テーブルの構築例を示す図である。
【図５】本発明の実施の形態に係る信号解析装置における表示色データ管理テーブルの構築例を示す図である。
【図６】本発明の実施の形態に係る信号解析装置におけるパラメータ設定のための処理の流れを説明するために示すフローチャートである。
【図７】本発明の実施の形態に係る信号解析装置のパラメータ設定時における表示装置の表示例を示す図である。
【図８】本発明の実施の形態に係る信号解析装置のパラメータ設定時における表示装置の表示例を示す図である。
【図９】本発明の実施の形態に係る信号解析装置のパラメータ設定時における表示装置の表示例を示す図である。
【図１０】本発明の実施の形態に係る信号解析装置の第１の変形例であるパラメータ設定時における表示装置の表示例を示す図である。
【図１１】本発明の実施の形態に係る信号解析装置の第１の変形例であるパラメータ設定時における表示装置の表示例を示す図である。
【図１２】本発明の実施の形態に係る信号解析装置の第１の変形例であるパラメータ設定時における表示装置の表示例を示す図である。
【図１３】本発明の実施の形態に係る信号解析装置の第１の変形例であるパラメータ設定時における表示装置の表示例を示す図である。
【図１４】本発明の実施の形態に係る信号解析装置の第２の変形例であるパラメータ設定時における表示装置の表示例を示す図である。
【図１５】本発明の実施の形態に係る信号解析装置における表示装置の他の表示例を示す図である。
【発明を実施するための形態】
【００３３】
以下、本発明の信号処理装置および信号処理方法に係る実施の形態について、図面を参照して説明する。
【００３４】
まず、図１を参照して信号処理装置の構成を説明する。なお、本実施の形態では、スペクトラムアナライザなどの信号解析装置１０に適用した場合を例に説明する。
【００３５】
ここで、スペクトラムアナライザとは、携帯電話や基地局などの被測定物としての各種の無線機器やシステムの送信特性を測定する、いわゆるＤＵＴ（Device Under Test）に用いられるもので、より具体的には、被測定物からの被測定信号の周波数成分を解析し、各周波数成分の相対値を、横軸を周波数、縦軸を信号レベル（振幅レベル）とするグラフとして表示するものであって、被測定信号のフルスパンでの広範囲な解析が可能であるとともに、高速かつ高精度な信号処理が可能とされている。
【００３６】
図１に示すように、本実施形態の信号解析装置１０は、その前面部に、表示手段としての表示装置３０と、操作手段としての操作部５０と、が設けられている。
【００３７】
表示装置３０は、例えばカラーの、液晶ディスプレイ（Liquid Crystal Display）やＥＬディスプレイ（Electroluminescence Display）などの、フラットパネル・ディスプレイを用いて構成されるもので、主表示画面としてのメイン表示部３１と、副表示画面としてのサブ表示部３２と、を備えている。
【００３８】
メイン表示部３１には、後述する解析処理部（信号処理手段）１０ａからの出力信号（デジタルデータ）に基づいて（図３参照）、例えば、横軸が周波数であり、縦軸が振幅レベル（デシベル）である、グラフαが表示される。また、メイン表示部３１には、測定（所定の信号処理）の結果６１とともに、適宜、パラメータ値（設定値）の設定および変更が可能な１つまたは複数のパラメータ（設定項目）６２が表示される（図２参照）。
【００３９】
サブ表示部３２には、複数（例えば、Ｆ１〜Ｆ８）のファンクションキー(以下、ファンクション表示キーまたはＦｘキーという。)が表示され、各ファンクション表示キーＦ１〜Ｆ８には、後述するように、入力信号（被測定信号）Ｓに対して、解析処理部１０ａにより所定の信号処理を施すための、各種の処理項目（測定項目）に対する複数のパラメータに応じたファンクションメニューが個々に割り当てられる。
【００４０】
このファンクション表示キーＦ１〜Ｆ８は、ファンクションメニューを表示させるためのものであって、表示されるメニューの内容が、ファンクション操作キー５１ａ〜５１ｈの操作に応じて動的に切り替わるようになっている。
【００４１】
なお、ファンクション表示キーＦ１〜Ｆ８は、複数頁からなり、各頁の切り替えが表示切替スイッチ５６によって行われるようになっている。
【００４２】
本実施の形態において、ファンクション表示キーＦ１〜Ｆ８は、表示する各メニューの内容が、Ｆ１〜Ｆ８キー毎に"異なる色"となるように制御される。例えば、ファンクション表示キーＦ１は"茶色"で、ファンクション表示キーＦ２は"赤色"で、ファンクション表示キーＦ３は"橙色"で、ファンクション表示キーＦ４は"黄色"で、それぞれのメニューを表示する。同様に、例えば、ファンクション表示キーＦ５は"緑色"で、ファンクション表示キーＦ６は"青色"で、ファンクション表示キーＦ７は"紫色"で、ファンクション表示キーＦ８は"灰色"で、それぞれのメニューを表示する。
【００４３】
なお、本実施の形態においては、例えば図２に示すように、便宜上、ファンクション表示キーＦ１〜Ｆ８の表示パターンを変えることによって、ファンクション表示キーＦ１〜Ｆ８の表示（メニューの内容）がそれぞれ"異なる色"であることを示している。
【００４４】
図１において、操作部５０は、信号解析装置１０を操作するためのもので、電源の投入時や測定の開始時などに、ユーザによって操作されるものである。また、操作部５０は、例えば、パラメータ値の設定および変更を行う際にも用いられる。
【００４５】
操作部５０としては、上記したファンクション操作キー５１ａ〜５１ｈや表示切替スイッチ５６の他、周波数可変ツマミ５２、メニュースイッチ５３、「０」〜「９」のテンキー５４、単掃引（Single掃引）設定用スイッチ５５ｋ、および、連続掃引（Continuous掃引）設定用スイッチ５５ｍなどの、各種のハード（ウェア）キーを備えている。
【００４６】
ファンクション操作キー５１ａ〜５１ｈは、ファンクション表示キーＦ１〜Ｆ８にそれぞれ対応されている。すなわち、ファンクション操作キー５１ａが操作されることによって、ファンクション表示キーＦ１に表示されたメニューの内容に応じた機能が、ファンクション操作キー５１ｂが操作されることによって、ファンクション表示キーＦ２に表示されたメニューの内容に応じた機能が、それぞれ選択（キー入力）される。同様に、ファンクション操作キー５１ｃが操作されることによって、ファンクション表示キーＦ３に表示されたメニューの内容に応じた機能が、ファンクション操作キー５１ｄが操作されることによって、ファンクション表示キーＦ４に表示されたメニューの内容に応じた機能が、それぞれ選択（キー入力）される。同様に、ファンクション操作キー５１ｅが操作されることによって、ファンクション表示キーＦ５に表示されたメニューの内容に応じた機能が、ファンクション操作キー５１ｆが操作されることによって、ファンクション表示キーＦ６に表示されたメニューの内容に応じた機能が、それぞれ選択（キー入力）される。同様に、ファンクション操作キー５１ｇが操作されることによって、ファンクション表示キーＦ７に表示されたメニューの内容に応じた機能が、ファンクション操作キー５１ｈが操作されることによって、ファンクション表示キーＦ８に表示されたメニューの内容に応じた機能が、それぞれ選択（キー入力）される。
【００４７】
周波数可変ツマミ５２は、周波数を調整する際に操作されるもので、例えば、右方向に捻ると周波数が高くなるように変化され、左方向に捻ると周波数が低くなるように変化される。
【００４８】
メニュースイッチ５３は、ガイド機能を有効化するためのものであって、例えば、パラメータ値の設定および変更を行う際に操作することにより、該メニュースイッチ５３の操作に伴って、各頁のファンクション表示キーＦ１〜Ｆ８にメインメニュー（設定項目名である各設定項目の最上階層のパラメータ名）としてのファンクションメニューが表示されるとともに、ファンクション表示キーＦ１〜Ｆ８に表示された各メニューに対応する、メイン表示部３１における各パラメータ６２の表示が、それぞれ、ファンクション表示キーＦ１〜Ｆ８と同じ色で表示される。なお、ガイド機能の詳細、つまり、パラメータ値の設定に係る動作については、後述する。
【００４９】
テンキー５４は、例えば、パラメータ値の設定および変更を行う際に操作されるもので、テンキー５４のキー入力操作に伴って、対象となるパラメータ６２のパラメータ値が設定および変更される。
【００５０】
Single掃引設定用スイッチ５５ｋは、例えば、トリガ機能またはゲート機能のオン時において、１回だけ掃引させる場合に操作されるものであり、Continuous掃引設定用スイッチ５５ｍは、例えば、トリガ機能またはゲート機能のオン時において、連続して掃引させる場合に操作されるものである。
【００５１】
表示切替スイッチ５６は、例えば、パラメータ値の設定および変更を行う際に操作されるもので、表示切替スイッチ５６のキー入力操作に伴って、ファンクション表示キーＦ１〜Ｆ８の頁の切り替えなどが行われる。
【００５２】
また、操作部５０には、ファンクション表示キーＦ１〜Ｆ８にファンクションメニューとしての所定のメニューを個別に表示させるためのハードウェアキーとして、例えば、周波数（Frequency）設定用スイッチ５５ａ、スパン（Span）設定用スイッチ５５ｂ、帯域幅（ＢＷ（Band Width））設定用スイッチ５５ｃ、レベル（Amplitude）設定用スイッチ５５ｄ、タイム／掃引（Time/Sweep）設定用スイッチ５５ｅ、トリガ／ゲート（Trigger/Gate）設定用スイッチ５５ｆ、トレース（Trace）設定用スイッチ５５ｇ、メジャー（Measure）設定用スイッチ５５ｈ、マーカ（Marker）設定用スイッチ５５ｉ、および、ピークサーチ（Peak Search）設定用スイッチ５５ｊなどが設けられている。
【００５３】
Frequency設定用スイッチ５５ａは、周波数の設定およびプリセレクタオートチューニングを実行する際に操作されるもので、「Frequency」をメインメニューとなる最上階層のパラメータとする設定項目の、第１のサブメニューとなる下階層のパラメータとしては、「Center（中心周波数の設定）」、「Span（周波数スパンの設定）」、「Start（スタート周波数の設定）」、「Stop（ストップ周波数の設定）」、「Pre‐Selector Auto Tune（不図示のプリセレクタの自動調整）」、「Offset（On/Off）」、「Offset Value」、「Step Size」がある。
【００５４】
上記「Center」は、掃引する周波数範囲の中心周波数を設定および変更するためのものである。
【００５５】
上記「Span」は、掃引する周波数スパンを設定および変更するためのものであり、さらに第２のサブメニューとなる下階層のパラメータとしては、「Span（周波数ドメインモード）」、「Full Span（フルスパンの設定）」、「Zero Span（ゼロスパンの設定）」、「Couple Time/Frequency Domain」、「Frequency Band Mode（周波数バンドモードの設定）」がある。
【００５６】
上記「Span（周波数ドメインモード）」は、掃引する周波数スパンを任意（０Ｈｚ以上）に設定および変更するためのものである。
【００５７】
上記「Full Span」は、掃引する周波数スパンを最大に設定および変更するためのものである（周波数ドメインモード）。
【００５８】
上記「Zero Span」は、掃引する周波数スパンを０Ｈｚに設定および変更するためのものである（タイムドメインモード）。
【００５９】
上記「Frequency Band Mode」は、プリセレクタの通過下限周波数をNormal/Spuriousに設定および変更するためのものである。
【００６０】
上記「Start」は、掃引する周波数範囲のスタート周波数を設定および変更するためのものである。
【００６１】
上記「Stop」は、掃引する周波数範囲のストップ周波数を設定および変更するためのものである。
【００６２】
上記「Pre‐Selector Auto Tune」は、プリセレクタの同調周波数を設定および変更するためのものである。
【００６３】
上記「Offset（On/Off）」は、周波数オフセット機能のオン／オフを設定および変更するためのものである。
【００６４】
上記「Offset Value」は、周波数オフセット値を設定および変更するためのものである。
【００６５】
上記「Step Size」は、第１のサブメニューである「Center」、「Start」、「Stop」における各周波数のステップサイズを設定および変更するためのものである。
【００６６】
これらの各機能（第１および第２のサブメニュー）は、ユーザによってFrequency設定用スイッチ５５ａが操作されることにより、１頁目のファンクション表示キーＦ１〜Ｆ８に表示されるとともに、ファンクション操作キー５１ａ〜５１ｈの操作に伴って各階層単位で動的に切り替えられる。
【００６７】
Span設定用スイッチ５５ｂは、例えば、Frequency設定用スイッチ５５ａによってファンクション表示キーＦ２に表示される第１のサブメニューである「Span（周波数スパンの設定）」の場合と同様の仕様とされている。すなわち、Span設定用スイッチ５５ｂが操作されることによって、１頁目のファンクション表示キーＦ１〜Ｆ８には、上記した第２のサブメニュー（「Span」、「Full Span」、「Zero Span」、「Couple Time/Frequency Domain」、「Frequency Band Mode」）が表示される。
【００６８】
ＢＷ設定用スイッチ５５ｃは、分解能帯域幅（ＲＢＷ）およびビデオ帯域幅（ＶＢＷ）を設定する際に操作されるもので、「ＢＷ」をメインメニューとなる最上階層のパラメータとする設定項目の、第１のサブメニューとなる下階層のパラメータとしては、「ＲＢＷ（Auto/Manualの切り替え）」、「ＲＢＷ Value（ＲＢＷの設定）」、「ＶＢＷ（Auto/Manualの切り替え）」、「ＶＢＷ Value（ＶＢＷの設定）」、「ＶＢＷ Mode（Video/Power）」がある。
【００６９】
上記「ＲＢＷ（Auto/Manual）」は、ＲＢＷを周波数スパンに応じて自動的（Auto）に、または、任意（Manual）の値によりＲＢＷを設定および変更するためのものである。
【００７０】
上記「ＲＢＷ Value」は、ＲＢＷを任意の値により設定および変更するためのものである。
【００７１】
上記「ＶＢＷ（Auto/Manual）」は、ＲＢＷに応じて自動的（Auto）に、または、任意（Manual）の値によりＶＢＷを設定および変更するためのものである。
【００７２】
上記「ＶＢＷ Value」は、ＶＢＷをＲＢＷよりも小さい任意の値に設定および変更するためのものである。
【００７３】
これらの各機能（第１のサブメニュー）は、ユーザによってＢＷ設定用スイッチ５５ｃが操作されることにより、１頁目のファンクション表示キーＦ１〜Ｆ８に表示されるとともに、ファンクション操作キー５１ａ〜５１ｈの操作に伴って各階層単位で動的に切り替えられる。
【００７４】
Amplitude設定用スイッチ５５ｄは、レベルを設定する際に操作されるもので、「Amplitude」をメインメニューとなる最上階層のパラメータとする設定項目の、第１のサブメニューとなる下階層のパラメータとしては、「Reference Level（リファレンスレベルの設定）」、「Attenuator（Auto/Manual）」、「Attenuator（後述する入力アッテネータ１１の設定）」、「Pre‐Amp（不図示のプリアンプのオン／オフの設定）」、「Log Scale Unit（Logスケール時のレベル表示単位の設定）」、「Scale（Logレベル表示とLinearレベル表示との切り替え）」、「Offset（On/Off）」、「Offset Value」、「Impedance」がある。
【００７５】
上記「Reference Level」は、リファレンスレベル（振幅スケールの上端）を設定および変更するためのものである。
【００７６】
上記「Attenuator」は、手動により入力アッテネータの設定および変更を行うためのものである。
【００７７】
上記「Pre‐Amp」は、プリアンプのオン／オフを設定および変更するためのもので、プリアンプをオンに設定および変更することにより、レベル感度を向上させることが可能となる。
【００７８】
これらの各機能（第１のサブメニュー）は、ユーザによってAmplitude設定用スイッチ５５ｄが操作されることにより、１頁目のファンクション表示キーＦ１〜Ｆ８に表示されるとともに、ファンクション操作キー５１ａ〜５１ｈの操作に伴って各階層単位で動的に切り替えられる。
【００７９】
Time/Sweep設定用スイッチ５５ｅは、掃引時間およびトレースポイントを設定する際に操作されるもので、「Time/Sweep」をメインメニューとなる最上階層のパラメータとする設定項目の、第１のサブメニューとなる下階層のパラメータとしては、「Sweep Time（Auto/Manual）」、「Sweep Time（掃引時間の設定）」、「Auto Sweep Time Select（Normal/Fast）」、「Trace Points（トレースポイント数の設定）」がある。
【００８０】
上記「Sweep Time」は、手動によって掃引時間の設定および変更を行うためのものである。
【００８１】
上記「Trace Points」は、波形データの数（トレースポイント数）を設定および変更するためのものである。
【００８２】
これらの各機能（第１のサブメニュー）は、ユーザによってTime/Sweep設定用スイッチ５５ｅが操作されることにより、１頁目のファンクション表示キーＦ１〜Ｆ８に表示されるとともに、ファンクション操作キー５１ａ〜５１ｈの操作に伴って各階層単位で動的に切り替えられる。
【００８３】
Trigger/Gate設定用スイッチ５５ｆは、トリガおよびゲートを設定する際に操作されるもので、「Trigger」をメインメニューとなる最上階層のパラメータとする設定項目の、第１のサブメニューとなる下階層のパラメータとしては、「Trigger Switch（On/Off）」、「Trigger Switch（トリガ機能の有効化）」、「Trigger Slope（Rise/Fall）」、「Trigger Level(Video)」、「Trigger Level（Wide IF Video）」、「Gate Sweep（ゲート機能の有効化）」、「Gate View（On/Off）」、「Gate View Setting」、「Gate Slope（Rise/Fall）」、「Gate Level（Wide IF Video）」がある。
【００８４】
上記「Trigger Switch」は、トリガ掃引において、掃引の開始点となるトリガ条件を設定するためのものであり、さらに第２のサブメニューとなる下階層のパラメータとしては、「Trigger Source」、「Trigger Delay」などがある。
【００８５】
上記「Trigger Source」は、トリガソースを選択するためのものであって、例えば、波形の立ち上がりまたは立ち下がりに同期してトリガ掃引を開始する「ビデオトリガ」、広い通過帯域（約５０ＭＨｚ）のＩＦ信号を検波し、その信号の立ち上がりまたは立ち下がりに同期して掃引を開始する「ワイドＩＦビデオトリガ」、Trigger Inputコネクタ（図示していない）に入力された信号の立ち上がりまたは立ち下がりに同期して掃引を開始する「外部トリガ」、マーカ信号出力の立ち上がりまたは立ち下がりに同期して掃引を開始する「ＳＧマーカトリガ」の、いずれか（第３のサブメニュー）を選択するものである。
【００８６】
上記「Trigger Delay」は、掃引開始までの遅延時間を設定および変更するためのものである。
【００８７】
上記「Gate Sweep」は、ゲート掃引において、トリガ条件が満たされた時刻に、設定および変更された遅延時間を加算した時刻を開始点として、設定および変更された掃引時間だけ掃引するために、掃引の開始点を決定する際の基準となるトリガ条件を設定するためのものであり、さらに第２のサブメニューとなる下階層のパラメータとしては、「Gate Source」、「Gate Delay」、「Gate Length」などがある。
【００８８】
上記「Gate Source」は、ゲートソースを選択するためのものであって、例えば、広い通過帯域（約５０ＭＨｚ）のＩＦ信号を検波し、その信号の立ち上がりまたは立ち下がりに同期して掃引を開始する「ワイドＩＦビデオトリガ」、External Inputコネクタ（図示していない）に入力された信号の立ち上がりまたは立ち下がりを開始点として、設定および変更された掃引時間だけ掃引する「外部トリガ」、マーカ信号出力の立ち上がりまたは立ち下がりに同期してゲート掃引を開始する「ＳＧマーカトリガ」の、いずれか（第３のサブメニュー）を選択するものである。
【００８９】
上記「Gate Delay」は、ゲート掃引において、遅延時間を設定および変更するためのものである。
【００９０】
上記「Gate Length」は、ゲート掃引において、掃引時間を設定および変更するためのものである。
【００９１】
これらの各機能（第１〜第３のサブメニュー）は、ユーザによってTrigger/Gate設定用スイッチ５５ｆが操作されることにより、１頁目のファンクション表示キーＦ１〜Ｆ８に表示されるとともに、ファンクション操作キー５１ａ〜５１ｈの操作に伴って各階層単位で動的に切り替えられる。
【００９２】
Trace設定用スイッチ５５ｇは、トレースを設定する際に操作されるもので、「Trace」をメインメニューとなる最上階層のパラメータとする設定項目の、第１のサブメニューとなる下階層のパラメータとしては、「Active Trace（設定対象のトレースの選択）」がある。
【００９３】
上記「Active Trace」は、設定対象のトレースを選択するためのものであり、さらに第２のサブメニューとなる下階層のパラメータとして、「Trace Type」、「Storage Mode（ストレージモードの種類の設定）」、「Storage Count」、「Limits」、「Detection（検波モードの選択）」がある。
【００９４】
上記「Storage Mode」は、ストレージモードの種類を設定するためのものであって、さらに第３のサブメニューとなる下階層のパラメータとして、Log表示モードにおいて、Linear値における平均化処理を行う「Lin Average」、掃引毎に、各横軸ポイントのトレースデータと新しいトレースデータとを比較し、大きい方を表示する「Max Hold」、掃引毎に、各横軸ポイントのトレースデータと新しいトレースデータとを比較し、小さい方を表示する「Min Hold」、掃引毎に、各横軸ポイントにおける平均化処理を行って、その結果を表示する「Average」、掃引毎にトレースデータを更新する「Ｏｆｆ」がある。
【００９５】
上記「Detection」は、検波モードを選択するためのものであって、さらに第３のサブメニューとなる下階層のパラメータとして、サンプルポイント間の最大値と最小値とを結んだ直線を表示させるための「Pos ＆ Neg」、サンプルポイント間の最大値を表示させるための「Positive」、サンプルポイント間の瞬時値を表示させるための「Sample」、サンプルポイント間の最小値を表示させるための「Negative」、サンプルポイント間の二乗平均値（実効値）を表示させるための「ＲＭＳ(Root Mean Square）」がある。
【００９６】
これらの各機能（第１〜第３のサブメニュー）は、ユーザによってTrace設定用スイッチ５５ｇが操作されることにより、１頁目のファンクション表示キーＦ１〜Ｆ８に表示されるとともに、ファンクション操作キー５１ａ〜５１ｈの操作に伴って各階層単位で動的に切り替えられる。
【００９７】
Measure設定用スイッチ５５ｈは、メジャー機能に関する設定および変更を行う際に操作されるもので、「Measure」をメインメニューとなる最上階層のパラメータとする設定項目の、第１のサブメニューとなる下階層のパラメータとしては、「ＡＣＰ（隣接チャネル漏洩電力の測定）」、「Channel Power（指定周波数帯域内の電力の測定）」、「ＯＢＷ（占有帯域幅の測定）」、「Burst Average Power（バースト内の平均電力の測定）」、「Spectrum Emission Mask（スペクトラムエミッションマスク測定）」、「Spurious Emission（スプリアスエミッション測定）」などがある。
【００９８】
上記「ＡＣＰ」は、隣接チャネル漏洩電力の測定を行うためのものであり、さらに第２のサブメニューとなる下階層のパラメータとしては、In Bandに関する測定を行うための「In Band Setup」、Offsetの設定内容が異なるモードNormal/Adv.のいずれかを選択する「Offset Setup Mode」、Offset Channelに関る設定および変更を行うための「Offset Setup（Advanced）」などがある。
【００９９】
上記「In Band Setup」の、さらに第３のサブメニューとなる下階層のパラメータとしては、キャリア数を設定および変更するための「Carrier Number」、In Bandの中心周波数を設定および変更するための「In Band Center」、キャリアの帯域幅を設定および変更するための「Carrier ＢＷ」などがある。
【０１００】
上記「Offset Setup Mode」の、さらに第３のサブメニューとなる下階層のパラメータとしては、Offset Channelの帯域幅を設定および変更するための「Ch ＢＷ」などがある。
【０１０１】
上記「Offset Setup（Advanced）」の、さらに第３のサブメニューとなる下階層のパラメータとしては、編集するOffsetの番号を選択するための「Edit Offset Number」、選択したOffset Channelのオフセット周波数を設定および変更するための「Offset」、選択したOffset Channelの帯域幅を設定および変更するための「Ch ＢＷ」などがある。
【０１０２】
上記「Channel Power」は、指定周波数帯域内の電力を測定するためのものであり、さらに第２のサブメニューとなる下階層のパラメータとしては、チャネル中心周波数を設定および変更するための「Channel Center」、チャネル帯域幅を設定および変更するための「Channel Width」などがある。
【０１０３】
上記「ＯＢＷ」は、占有帯域幅を測定するためのものであり、さらに第２のサブメニューとなる下階層のパラメータとしては、測定方法（Ｘ ｄＢ DownモードまたはＮ％ of Powerモード）を選択するための「Method」などがある。
【０１０４】
上記「Burst Average Power」は、バースト内の平均電力を測定するためのものであり、さらに第２のサブメニューとなる下階層のパラメータとしては、ノイズキャンセル機能のオン／オフを設定および変更するための「Noise Cancel（On/Off）」などがある。
【０１０５】
上記「Spectrum Emission Mask」の、さらに第２のサブメニューとなる下階層のパラメータとしては、基準キャリアを設定および変更するための「Reference Setup」、オフセットを設定および変更するための「Offset Setup」、規格線を設定および変更するための「Limit Setup」などがある。
【０１０６】
上記「Reference Setup」の、さらに第３のサブメニューとなる下階層のパラメータとしては、基準電力の算出方法を選択するための「Reference Mode」、Reference Mode（Fix時）の基準電力を設定および変更するための「Reference Power」、基準電力測定時の帯域幅を設定および変更するための「Channel ＢＷ」などがある。
【０１０７】
上記「Offset Setup」の、さらに第３のサブメニューとなる下階層のパラメータとしては、設定対象となるオフセットを設定および変更するための「Edit Offset Number」、オフセットのオン／オフを設定および変更するための「Offset On/Off」などがある。
【０１０８】
上記「Limit Setup」の、さらに第３のサブメニューとなる下階層のパラメータとしては、Pass/Fallの判定方法を設定および変更するための「Fail Logic」などがある。
【０１０９】
上記「「Spurious Emission」の、さらに第２のサブメニューとなる下階層のパラメータとしては、掃引区間（セグメント）を設定および変更するための「Segment Setup」、規格線を設定および変更するための「Limit Setup」、Time Domain測定の設定および変更を行うための「Time Domain Setup」などがある。
【０１１０】
上記「Segment Setup」の、さらに第３のサブメニューとなる下階層のパラメータとしては、セグメントで使用する補正テーブルを設定および変更するための「Correction」などがある。
【０１１１】
上記「Correction」の、さらに第４のサブメニューとなる下階層のパラメータとしては、ドライブを選択するための「Device」などがある。
【０１１２】
上記「Limit Setup」の、さらに第３のサブメニューとなる下階層のパラメータとしては、設定対象となるセグメントを選択するための「Edit Segment Number」などがある。
【０１１３】
上記「Time Domain Setup」の、さらに第３のサブメニューとなる下階層のパラメータとしては、設定対象となるセグメントを選択するための「Edit Segment Number」などがある。
【０１１４】
これらの各機能（第１〜第４のサブメニュー）は、ユーザによってMeasure設定用スイッチ５５ｈが操作されることにより、１頁目および２頁目のファンクション表示キーＦ１〜Ｆ８に表示されるとともに、ファンクション操作キー５１ａ〜５１ｈの操作に伴って各階層単位で動的に切り替えられる。
【０１１５】
Marker設定用スイッチ５５ｉは、マーカを設定する際に操作されるもので、「Marker」をメインメニューとなる最上階層のパラメータとする設定項目の、第１のサブメニューとなる下階層のパラメータとしては、アクティブマーカを設定および変更するための「Active Marker」、ゾーンマーカの周波数幅を設定および変更するための「Zone Width」、マーカ値の表示形式を設定および変更するための「Marker Result」などがある。
【０１１６】
上記「Zone Width（第１のサブメニュー）」の、さらに第２のサブメニューとなる下階層のパラメータとしては、周波数ドメインのゾーンマーカ幅を設定および変更するための「Zone Width」などがある。
【０１１７】
上記「Marker Result」の、さらに第２のサブメニューとなる下階層のパラメータとしては、ゾーン帯域内の合計パワーを表示するための「Integration」などがある。
【０１１８】
これらの各機能（第１および第２のサブメニュー）は、ユーザによってMarker設定用スイッチ５５ｉが操作されることにより、１頁目のファンクション表示キーＦ１〜Ｆ８に表示されるとともに、ファンクション操作キー５１ａ〜５１ｈの操作に伴って各階層単位で動的に切り替えられる。
【０１１９】
Peak Search設定用スイッチ５５ｊは、ピークサーチの実行および条件を設定する際に操作されるもので、「Peak Search」をメインメニューとなる最上階層のパラメータとする設定項目の、第１のサブメニューとなる下階層のパラメータとしては、Marker Searchファンクションメニューを開くための「Marker Search Function」、サーチ対象とするレベル点に制限をかけるためのしきい値を設定および変更するための「Threshold」などがある。
【０１２０】
上記「Marker Search Function」の、さらに第２のサブメニューとなる下階層のパラメータとしては、サーチの分解能を設定および変更するための「Resolution」などがある。
【０１２１】
上記「Threshold」の、さらに第２のサブメニューとなる下階層のパラメータとしては、Peak、Next Peak、Min、Next Minのしきい値を設定および変更するための「Threshold Level」などがある。
【０１２２】
これらの各機能（第１および第２のサブメニュー）は、ユーザによってPeak Search設定用スイッチ５５ｊが操作されることにより、１頁目のファンクション表示キーＦ１〜Ｆ８に表示されるとともに、ファンクション操作キー５１ａ〜５１ｈの操作に伴って各階層単位で動的に切り替えられる。
【０１２３】
図２は、上記した表示装置３０の表示画面（メニュースイッチ５３の操作時の表示例）を示すものである。
【０１２４】
ここでは、メイン表示部３１において、測定の結果６１とともに、パラメータ値の設定および変更が可能ないくつかのパラメータ６２が表示されている場合を例示している。また、サブ表示部３２において、１頁目のファンクション表示キーＦ１〜Ｆ８のそれぞれに、パラメータ値の設定および変更が可能な各パラメータ６２に対応する最上階層のパラメータ名がメインメニューとして表示されるとともに、パラメータ名のそれぞれが"異なる色"により表示されている場合を例示している。
【０１２５】
すなわち、操作部５０のメニュースイッチ５３が操作されると、サブ表示部３２において、１頁目のファンクション表示キーＦ１〜Ｆ８に、それぞれメインメニューとしての、「Frequency」、「Amplitude」、「Common Setting」、「Measure」、「Marker」、「Trigger」、「Capture」、「Accessory」が表示される。
【０１２６】
本実施の形態において、ファンクション表示キーＦ１の「Frequency」は、例えば"茶色"で表示される。ファンクション表示キーＦ２の「Amplitude」は、例えば"赤色"で表示される。ファンクション表示キーＦ３の「Common Setting」は、例えば"橙色"で表示される。ファンクション表示キーＦ４の「Measure」は、例えば"黄色"で表示される。ファンクション表示キーＦ５の「Marker」は、例えば"緑色"で表示される。ファンクション表示キーＦ６の「Trigger」は、例えば"青色"で表示される。ファンクション表示キーＦ７の「Capture」は、例えば"紫色"で表示される。ファンクション表示キーＦ８の「Accessory」は、例えば"灰色"で表示される。
【０１２７】
ここで、「Common Setting」は、パラメータ６２としての基準信号（Reference Signal Using Cell ＩＤのパラメータ値）を設定および変更するためのもので、「Common Setting」をメインメニューとなる最上階層のパラメータとする設定項目の、第１のサブメニューとなる下階層のパラメータとしては、「Reference Signal」があり、さらに第２のサブメニューとなる下階層のパラメータとしては、「Reference Signal Mode Using Cell ＩＤ」がある。
【０１２８】
「Accessory」は、その他の機能に対応したものであって、「Accessory」をメインメニューとなる最上階層のパラメータとする設定項目の、第１のサブメニューとなる下階層のパラメータとしては、タイトル文字列を設定および変更するための「Title」、タイトル文字列表示のオン／オフを設定および変更するための「Title（On/Off）」、ウォームアップメッセージの表示を消去するための「Erase Warm Up Message」、Uncalメッセージ表示のオン／オフを設定および変更するための「Uncal Message（On/Off）」、内部基準周波数信号（同期用信号）の調整を行うための「Reference Clock」、プリセレクタについての設定および変更を行うための「Pre-selector」がある。
【０１２９】
上記「Reference Clock（第１のサブメニュー）」の、さらに第２のサブメニューとなる下階層のパラメータとしては、内部基準周波数信号の周波数を設定および変更するための「Reference Clock」、「Reference Clock」を出荷時の設定に戻すための「Reference Clock Preset」がある。
【０１３０】
なお、上記したメインメニュー「Span」、「ＢＷ」、「Time/Sweep」、「Trace」、「Peak Search」は、例えば、２頁目のファンクション表示キーＦ１〜Ｆ８（図示していない）に表示される。
【０１３１】
また、メイン表示部３１の表示において、「Subcarrier」はＯＦＤＭ（Orthogonal Frequency Division Multiplexing）を構成する１つのキャリアであり、「Frequency Error」は入力信号Ｓに含まれる周波数誤差であり、「Output Power」は入力信号Ｓの電力測定値であり、「Total ＥＶＭ（rms）」は入力信号Ｓに含まれる変調誤差（二乗平均）であり、いずれも測定の結果６１である。
【０１３２】
これに対し、「Carrier Freq.」は入力信号Ｓの中心周波数（設定値）であり、「Modulation」は入力信号Ｓの変調方式（設定値）であり、「Channel Bandwidth」は入力信号Ｓのチャネル帯域幅（設定値）であり、「Input Level」は入力信号Ｓの電力（設定値）であり、「ＡＴＴ」は後述する解析処理部１０ａの入力アッテネータ１１の減衰量であり、「Reference Signal」は同期用信号であり、「Cell ＩＤ」は被測定物毎の固有情報であり、いずれもパラメータ値の設定および変更が可能なパラメータ６２である。
【０１３３】
本実施の形態においては、例えば、操作部５０のメニュースイッチ５３が操作されることにより（図１参照）、メイン表示部３１におけるパラメータ６２の「Reference Signal Using Cell ＩＤ」の表示（６２ｆ）が、ファンクション表示キーＦ３のメニューの内容、つまり「Common Setting」と同じ色（"橙色"）で表示される（図７参照）。これにより、ユーザは、パラメータ６２の「Reference Signal Using Cell ＩＤ」のパラメータ値を設定および変更する場合には、操作の手順として、まず、ファンクション表示キーＦ３に対応するファンクション操作キー５１ｃを操作すればよいことを直感的に理解できる。
【０１３４】
同様に、メイン表示部３１におけるパラメータ６２の「Modulation」および「Channel Bandwidth」の表示が、ファンクション表示キーＦ３の「Common Setting」と同じ色（"橙色"）で表示される（図７参照）。
【０１３５】
また、メイン表示部３１におけるパラメータ６２の「Carrier Freq.」の表示は、ファンクション表示キーＦ１の「Frequency」と同じ色（"茶色"）で表示される（図７参照）。
【０１３６】
また、メイン表示部３１におけるパラメータ６２の「Input Level」および「ＡＴＴ」の表示は、ファンクション表示キーＦ２の「Amplitude」と同じ色（"赤色"）で表示される（図７参照）。
【０１３７】
また、メイン表示部３１におけるパラメータ６２の「Graph」および「ＥＶＭ vs Subcarrier」の表示は、ファンクション表示キーＦ８の「Accessory」と同じ色（"灰色"）で表示される（図７参照）。
【０１３８】
図３は、信号解析装置１０の構成例（機能ブロック）を示すものである。
【０１３９】
図３に示すように、信号解析装置１０は、解析処理部１０ａとしての、ＡＴＴ（入力アッテネータ；減衰器）１１、局部発振器（local oscillator；ＬＯ）１２、周波数混合器（ＭＩＸ）１３、増幅器１４、ＩＦ（intermediate frequency；中間周波）フィルタ１５、ＩＦ増幅器１６、検波器１７、ビデオ・フィルタ（Video Band Width；ＶＢＷ）１８、増幅器１９、ＡＤＣ（アナログ・デジタル・コンバータ）２０、掃引部２１、および、掃引用ＡＤＣ２２を含み、さらに表示装置３０、制御装置（制御手段）４０などを備えている。
【０１４０】
また、制御装置４０には、保存手段としてのＲＡＭ（ランダム・アクセス・メモリ）４１、ＲＯＭ（リード・オンリ・メモリ）４２、階層情報記憶部（階層情報記憶手段）４３、色情報記憶部（色情報割当手段）４４、および、操作部５０が接続されている。
【０１４１】
ＡＴＴ１１は、内部に抵抗を有し、高周波の被測定信号としての入力信号Ｓを信号処理可能な、測定に影響を与えない最適なミキサ入力レベルに減衰させるためのもので、インピーダンスを変化させない電子部品である。
【０１４２】
局部発振器１２は、ローカル信号として、元の入力信号Ｓの周波数の値から、変換先の周波数の値の分だけ高い周波数あるいは低い周波数の正弦波を発生させるものである。局部発振器１２から発振されるローカル信号は、掃引部２１から出力される掃引ランプ信号により所定の周波数範囲にわたって掃引される。
【０１４３】
周波数混合器１３は、ヘテロダイン式のスペクトラムアナライザの特徴的な構成要素であり、ＡＴＴ１１で減衰された入力信号Ｓと局部発振器１２から発振されたローカル信号とを混合し、２つの信号の差の周波数成分を含む出力信号を生成するものである。この周波数混合器１３からは、掃引動作に同期して変化する中間周波数を含む周波数信号である中間周波数信号を出力する。
【０１４４】
したがって、測定の対象とする周波数（ＡＴＴ１１で減衰された入力信号Ｓの周波数）に合わせて、局部発振器１２の発振周波数を調整する（測定の対象とする周波数から予め決めた分だけ離れた周波数に設定する)ことにより、測定の対象とする周波数の近傍のスペクトラムを予め決めた固定の周波数（中間周波数；ＩＦ）の近傍にコピーしたような信号を得ることができる。
【０１４５】
増幅器１４は、周波数混合器１３からの中間周波数信号を増幅してＩＦフィルタ１５に出力するものである。
【０１４６】
ＩＦフィルタ１５は、本実施の形態の場合、アナログのバンドパス・フィルタなどで構成されるＲＢＷ（Resolution Band Width）フィルタおよび対数増幅器（ログアンプ）により構成されている。
【０１４７】
周波数混合器１３からの出力には、測定の対象とする周波数の近傍のスペクトラムに対応する信号成分が中間周波数を中心として現れるので、ＩＦフィルタ１５は、ＲＢＷフィルタのような中心周波数が固定の帯域通過フィルタを通すことで、その周波数の近傍の所定の測定周波数範囲の信号成分を取り出すことができる。
【０１４８】
測定周波数範囲は、ＩＦフィルタ１５の中心周波数と局部発振器１２から発振されるローカル信号の周波数範囲とによって決定される。
【０１４９】
ＩＦフィルタ１５は、周波数混合器１３によって入力信号Ｓとローカル信号とを混合させた中間周波数信号がＩＦフィルタ１５の中心周波数の所定の範囲内であるときに、増幅器１４で増幅された中間周波数信号を出力する。
【０１５０】
対数増幅器（ログアンプ）は、入力信号Ｓの対数に対応する増幅信号を出力する増幅器であり、この増幅器を備えるＩＦフィルタ１５によれば、入力信号Ｓを対数圧縮した大きなダイナミック・レンジの信号として一括して扱うことができ、リニアな表示デバイスを用いてデシベルに対応した表示を行うことが可能になる。
【０１５１】
本実施の形態においては、周波数混合器１３から出力される中間周波数信号が掃引動作に同期して変化するので、ＩＦフィルタ１５は、１掃引時間（掃引期間）内において、時間経過とともに、中間周波数信号に変換された入力信号Ｓの各周波数成分における時系列波形である信号を抽出する。
【０１５２】
ＩＦ増幅器１６は、設定される利得に応じてＩＦフィルタ１５より出力される信号の振幅レベルを制御するもので、利得を変化させることによって、表示装置３０におけるメイン表示部３１ａにおいて、グラフ化されて表示される信号（周波数スペクトラム波形）の振幅レベルを変化させることができる。
【０１５３】
検波器１７は、ＩＦフィルタ１５で抽出されて、ＩＦ増幅器１６で振幅レベルが変化された信号を直流に変換する構成要素であり、スペクトラムアナライザでは、主として包絡線検波が用いられる。検波器１７では、ＩＦ増幅器１６から出力されたアナログの周波数スペクトラム波形における各時間軸位置のピーク値を検出し、包絡線検波された状態の最終的な周波数スペクトラム波形を得る。
【０１５４】
すなわち、掃引期間内において検波された信号は、掃引された周波数における時系列波形の大きさを示す。したがって、メイン表示部３１において、横軸を周波数、縦軸を振幅レベル（デシベル）とすれば、表示されるグラフαは周波数スペクトラム波形となる。
【０１５５】
ビデオ・フィルタ１８は、ビデオ帯域幅（ＶＢＷ）フィルタであり、検波器１７によって検波された信号の、信号のスペクトラムに対してではなく、つまりは、検波された信号の時間変動に対するフィルタとして機能し、入力信号Ｓの周波数毎の強度を求め、周波数スペクトラム波形を表示するための映像信号を出力する。
【０１５６】
増幅器１９は、ビデオ・フィルタ１８より入力される映像信号を増幅した後、ＡＤＣ２０に出力する。
【０１５７】
ＡＤＣ２０は、増幅器１９で増幅された映像信号をデジタルデータ（出力信号）に変換し、例えば、表示装置３０での周波数スペクトラム波形のグラフ表示を制御するための制御装置４０に出力する。
【０１５８】
掃引部２１は、局部発振器１２から発振されるローカル信号を所定の周波数範囲にわたって掃引させるための掃引ランプ信号を生成するもので、掃引ランプ信号の生成を、設定される掃引時間に応じて制御するものである。
【０１５９】
掃引用ＡＤＣ２２は、掃引部２１において生成される掃引ランプ信号をデジタルデータに変換し、制御装置４０に出力する。
【０１６０】
これにより、制御装置４０では、掃引用ＡＤＣ２２からのデジタルデータを基準として、掃引部２１において掃引ランプ信号を生成するための掃引期間などを制御する。
【０１６１】
表示装置３０は、例えば、制御装置４０からの映像信号を表示するメイン表示部３１と、ファンクション表示キーＦ１〜Ｆ８を表示するサブ表示部３２と、を備えている。
【０１６２】
なお、少なくともサブ表示部３２をタッチパネルにより構成するようにした場合には、操作部５０のファンクション操作キー５１ａ〜５１ｈを不要にできる。
【０１６３】
この表示装置３０において、メイン表示部３１には、制御装置４０からの映像信号を入力することによって、入力信号Ｓの周波数軸上の強度を周波数ドメイン（横軸を周波数、縦軸を振幅レベル）とする、周波数スペクトラム波形のグラフαが表示される。また、メイン表示部３１には、測定の結果６１とともに、パラメータ値の設定および変更が可能なパラメータ６２が表示される。
【０１６４】
一方、サブ表示部３２のファンクション表示キーＦ１〜Ｆ８（１頁目）には、例えば図２に示したように、操作部５０のメニュースイッチ５３が操作されたことを条件に、メインメニューとしての、「Frequency」、「Amplitude」、「Common Setting」、「Measure」、「Marker」、「Trigger」、「Capture」、「Accessory」がそれぞれ表示される。
【０１６５】
ＲＡＭ４１は、制御装置４０の制御動作のための作業エリアとして使用され、または、例えば一時的に記憶手段としても使用されるものである。また、ＲＡＭ４１は、設定および変更が可能なパラメータを記憶するとともに、各パラメータのパラメータ値を保存するようになっており、設定および変更すべきパラメータ値が入力されたことを条件に、保存しているパラメータ値が更新される。
【０１６６】
ＲＯＭ４２は、入力信号Ｓに所定の信号処理を施すためのプログラムを記憶するとともに、該プログラムの実行に伴って起動が制御される各種の処理ソフト（アプリケーション）などを格納するものである。
【０１６７】
階層情報記憶部４３は、後述する階層情報としての階層情報管理テーブル４３ａ（図４参照）を記憶するものである。階層情報管理テーブル４３ａとは、入力信号Ｓに対して所定の信号処理を施す際の、各種の処理項目に対する１つまたは複数のパラメータのメニュー構成（階層構造）を記憶するものであって、各パラメータの上位および下位の階層関係を管理するためのものである。
【０１６８】
すなわち、該階層情報管理テーブル４３ａは、パラメータの設定時に、メイン表示部３１に表示されるパラメータ値の設定および変更が可能な各パラメータ６２に対して、次に操作すべきファンクション表示キーＦ１〜Ｆ８の対応付けを、例えば、メインメニュー毎に行うものである。
【０１６９】
色情報記憶部４４は、後述する色情報としての表示色データ管理テーブル４４ａ（図５参照）を記憶するものである。表示色データ管理テーブル４４ａとは、操作部５０のメニュースイッチ５３が操作されたことを条件に、ファンクション表示キーＦ１〜Ｆ８にメニューを表示させる際の色（表示色データ）を制御するためのものである。
【０１７０】
すなわち、該表示色データ管理テーブル４４ａは、階層情報管理テーブル４３ａで管理されている階層情報に基づき、上位および下位の階層関係を有する、上階層の各パラメータに個々に対応する下階層の各パラメータに対して、それぞれ異なる表示色データが割り当てられるように、ファンクション表示キーＦ１〜Ｆ８にメニューの内容を表示させる際の色を規定するものである。
【０１７１】
なお、この表示色データ管理テーブル４４ａで規定される表示色データに基づいて、メイン表示部３１における各パラメータ６２の表示が、対応するファンクション表示キーＦ１〜Ｆ８におけるメニューの内容と同じ色で表示されるように制御される。
【０１７２】
なお、本実施の形態において、ＲＯＭ４２に記憶されたプログラムは、後述するように、制御装置４０における各種の機能ブロック（４０ａ〜４０ｃ）によって実行される、図６のフローチャートに示す一連の処理の内容と一致されている。
【０１７３】
次に、図４を参照して、階層情報記憶部４３において管理される階層情報管理テーブル４３ａについて説明する。ここでは、便宜上、１頁目のファンクション表示キーＦ１〜Ｆ８に関しての階層構造（メニュー構成）のみを例示し、その概略について説明する。
【０１７４】
ただし、１メインメニュー当たりの階層数を３（第１〜第３のサブメニュー）とした場合の例である。
【０１７５】
図４（ａ）に示すように、メインメニューに対応する最上階層のテーブル４３Ａには、それぞれのファンクション表示キーＦ１（Ｆ１キー）〜Ｆ８（Ｆ８キー）に対応させて、メインメニューのメニュー名と、メインメニューと階層関係を有する第１のサブメニューである下階層のテーブル４３Ｂ−1a，４３Ｂ−1b，４３Ｂ−1c，４３Ｂ−1d，・・・の、各ポインタＰ１，Ｐ２，Ｐ３，Ｐ４，・・・と、が格納されている。
【０１７６】
図４（ｂ）に示すように、第１のサブメニューに対応する下階層の各テーブル４３Ｂ−1aには、それぞれのファンクション表示キーＦ１〜Ｆ８に対応させて、第１のサブメニューのメニュー名と、第１のサブメニューと階層関係を有する第２のサブメニューである下階層のテーブル４３Ｃ−1a，４３Ｃ−1b，４３Ｃ−1c，４３Ｃ−1d，・・・の、各ポインタＰ１−１，Ｐ１−２，Ｐ１−３，Ｐ１−４，・・・と、が格納されている。
【０１７７】
図示していないが、他のテーブル４３Ｂ−1b，４３Ｂ−1c，４３Ｂ−1d，・・・に関しても同様である。例えば、テーブル４３Ｂ−1bには、それぞれのファンクション表示キーＦ１〜Ｆ８に対応させて、下階層のテーブル（図示していない）の、各ポインタＰ２−１，Ｐ２−２，Ｐ２−３，Ｐ２−４，・・・が、また、テーブル４３Ｂ−1cには、それぞれのファンクション表示キーＦ１〜Ｆ８に対応させて、下階層のテーブル（図示していない）の、各ポインタＰ３−１，Ｐ３−２，Ｐ３−３，Ｐ３−４，・・・が、またさらに、テーブル４３Ｂ−1dには、それぞれのファンクション表示キーＦ１〜Ｆ８に対応させて、下階層のテーブル（図示していない）の、各ポインタＰ４−１，Ｐ４−２，Ｐ４−３，Ｐ４−４，・・・が格納されている。
【０１７８】
図４（ｃ）に示すように、第２のサブメニューに対応する下階層のテーブル４３Ｃ−1a，４３Ｃ−1b，４３Ｃ−1c，４３Ｃ−1d，・・・には、それぞれのファンクション表示キーＦ１〜Ｆ８に対応させて、第２のサブメニューのメニュー名と、第２のサブメニューと階層関係を有する第３のサブメニューである下階層のテーブル（図示していない）の、各ポインタＰ１−１−１〜，Ｐ１−２−１〜，Ｐ１−３−１〜，Ｐ１−４−１〜，・・・が格納されている。
【０１７９】
このように、各階層の他のファンクション表示キーＦ１〜Ｆ８に関しても同様のメニュー構成となっている。
【０１８０】
すなわち、各階層において、ファンクション表示キーＦ１〜Ｆ８に表示されている各メニューの、その下階層のメニューの１つが一義的に決定されるように全パラメータを階層構造化しているので、ファンクション表示キーＦ１〜Ｆ８のいずれかを選択的に操作することにより、所望のパラメータ６２に確実に辿り着くことが可能となる。
【０１８１】
次に、図５を参照して、色情報記憶部４４において管理される表示色データ管理テーブル４４ａについて説明する。ここでは、図４に示した階層情報管理テーブル４３ａで管理されている階層情報を元に、各パラメータの階層関係と表示色データとの関係（階層毎の表示色データの割り当ての例）を示している。
【０１８２】
図５に示すように、本実施の形態においては、ファンクション表示キーＦ１〜Ｆ８で表示される各メニューの内容が、ファンクション表示キーＦ１〜Ｆ８毎に"異なる色"となるように、例えば、ファンクション表示キーＦ１には"茶色"が、ファンクション表示キーＦ２には"赤色"が、ファンクション表示キーＦ３には"橙色"が、ファンクション表示キーＦ４には"黄色"が、ファンクション表示キーＦ５には"緑色"が、ファンクション表示キーＦ６には"青色"が、ファンクション表示キーＦ７には"紫色"が、ファンクション表示キーＦ８には"灰色"が、それぞれ割り当てられている。
【０１８３】
これにより、ファンクション表示キーＦ１〜Ｆ８にメインメニュー（最上階層のパラメータ名）を表示させた状態において、例えば、ファンクション操作キー５１ａが操作されると、階層情報管理テーブル４３ａに基づき、ファンクション表示キーＦ１〜Ｆ８の表示が、ファンクション表示キーＦ１のメニューに対応する第１のサブメニュー（Ｐ１）である下階層の各パラメータに切り替わり、表示色データ管理テーブル４４ａに基づいたカラー表示が行われる。
【０１８４】
同様に、ファンクション表示キーＦ１〜Ｆ８の表示は、例えば、ファンクション操作キー５１ｂが操作されると、ファンクション表示キーＦ２のメニューに対応する第１のサブメニュー（Ｐ２）である下階層の各パラメータに、例えば、ファンクション操作キー５１ｃが操作されると、ファンクション表示キーＦ３のメニューに対応する第１のサブメニュー（Ｐ３）である下階層の各パラメータに、例えば、ファンクション操作キー５１ｄが操作されると、ファンクション表示キーＦ４のメニューに対応する第１のサブメニュー（Ｐ４）である下階層の各パラメータに、・・・、それぞれ切り替わり、表示色データ管理テーブル４４ａに基づいたカラー表示が行われる。
【０１８５】
また、ファンクション表示キーＦ１〜Ｆ８に、ファンクション表示キーＦ１のメニューに対応する第１のサブメニュー（Ｐ１）である下階層の各パラメータを表示させた状態において、例えば、ファンクション操作キー５１ａが操作されると、階層情報管理テーブル４３ａに基づき、ファンクション表示キーＦ１〜Ｆ８の表示が、ファンクション表示キーＦ１のメニューに対応する第２のサブメニュー（Ｐ１−１）である下階層の各パラメータに切り替わり、表示色データ管理テーブル４４ａに基づいたカラー表示が行われる。
【０１８６】
同様に、ファンクション表示キーＦ１〜Ｆ８の表示は、例えば、ファンクション操作キー５１ｂが操作されると、ファンクション表示キーＦ２のメニューに対応する第２のサブメニュー（Ｐ１−２）である下階層の各パラメータに切り替わり、また、ファンクション操作キー５１ｃが操作されると、ファンクション表示キーＦ３のメニューに対応する第２のサブメニュー（Ｐ１−３）である下階層の各パラメータに切り替わり、またさらに、ファンクション操作キー５１ｄが操作されると、ファンクション表示キーＦ４のメニューに対応する第２のサブメニュー（Ｐ１−４）である下階層の各パラメータに切り替わり、このようにして、他のファンクション操作キーが操作される場合も同様に切り替わり、表示色データ管理テーブル４４ａに基づいたカラー表示が行われる。
【０１８７】
すなわち、各サブメニューにおいて、ファンクション表示キーとメニューの内容の色表示の関係は次のようになる。
【０１８８】
ファンクション表示キーＦ１に対応するメニューの内容は"茶色"により表示される。ファンクション表示キーＦ２に対応するメニューの内容は"赤色"により表示される。ファンクション表示キーＦ３に対応するメニューの内容は"橙色"により表示される。ファンクション表示キーＦ４に対応するメニューの内容は"黄色"により表示される。ファンクション表示キーＦ５に対応するメニューの内容は"緑色"により表示される。ファンクション表示キーＦ６に対応するメニューの内容は"青色"により表示される。ファンクション表示キーＦ７に対応するメニューの内容は"紫色"により表示される。ファンクション表示キーＦ８に対応するメニューの内容は"灰色"により表示される。
【０１８９】
次に、パラメータの設定を可能とする、各種の機能ブロックを備える制御装置４０について説明する。
【０１９０】
図３において、制御装置４０は、ＣＰＵ（Central Processing Unit）あるいはマイクロプロセッサにより構成される。
【０１９１】
制御装置４０は、ＲＯＭ４２に格納されているプログラムおよびＲＡＭ４１の内容を読み込むことにより、適宜、所定の動作を行うとともに、パラメータの設定を行うための、パラメータ表示制御部（設定項目表示制御手段）４０ａ、色表示制御部（色表示制御手段）４０ｂ、パラメータ表示切替部（メニュー切替手段）４０ｃ、および、設定・更新部（更新手段）４０ｄの、４つの機能ブロックを備える。
【０１９２】
パラメータの設定時、制御装置４０は、まず、操作部５０のメニュースイッチ５３が操作されたことを条件に、パラメータ表示制御部４０ａを動作させる。この動作は、図６に示す制御装置４０の動作フローのステップＳ１１，Ｓ１２に該当する。
【０１９３】
パラメータ表示制御部４０ａは、図２に示したように、設定および変更が可能なパラメータ６２をメイン表示部３１に選択的に表示させるとともに、サブ表示部３２のファンクション表示キーＦ１〜Ｆ８に、メインメニューである最上階層のパラメータを表示させるようになっている。パラメータ表示制御部４０ａは、また、ファンクション表示キーＦ１〜Ｆ８での表示がそれぞれ"異なる色"となるように制御する。
【０１９４】
すなわち、制御装置４０は、解析処理部１０ａからの周波数スペクトラム波形のグラフαを表示させるためのデータをメイン表示部３１に出力した状態において、操作部５０のメニュースイッチ５３が操作されたことを判断すると、パラメータ表示制御部４０ａを動作させ、パラメータの設定が可能な状態となる。
【０１９５】
パラメータの設定が可能な状態になると、制御装置４０は、パラメータ表示制御部４０ａに替えて、色表示制御部４０ｂを動作させ、メイン表示部３１に表示されたパラメータ６２のそれぞれが、各パラメータ６２に対応する、サブ表示部３２のファンクション表示キーＦ１〜Ｆ８の表示と同一の色（以下、同色）となるように制御する。この色表示制御部４０ｂの動作は、図６に示す制御装置４０の動作フローのステップＳ１３に該当する。
【０１９６】
制御装置４０は、ファンクション表示キーＦ１〜Ｆ８に対応するファンクション操作キー５１ａ〜５１ｈのいずれかが操作されたことを条件として、色表示制御部４０ｂに替えて、パラメータ表示切替部４０ｃを動作させ、ファンクション表示キーＦ１〜Ｆ８でのメニューの表示を、メインメニューから操作されたファンクション操作キー５１ａ〜５１ｈに対応するメインメニューの、下階層の第１のサブメニューに切り替えるようになっている。このパラメータ表示切替部４０ｃの動作は、図６に示す制御装置４０の動作フローのステップＳ１４〜Ｓ１６に該当する。
【０１９７】
パラメータ表示切替部４０ｃによって、最下階層のサブメニューがファンクション表示キーＦ１〜Ｆ８に表示された状態において、制御装置４０は、操作部５０より設定および変更すべきパラメータ値が入力されたことを条件として、パラメータ表示切替部４０ｃに替えて、設定・更新部４０ｄを動作させる。
【０１９８】
設定・更新部４０ｄは、操作部５０より入力された設定および変更すべきパラメータ値に基づいて、ＲＡＭ４１における、対応するパラメータ６２のパラメータ値を更新するようになっている。この設定・更新部４０ｄの動作は、図６に示す制御装置４０の動作フローのステップＳ１７，Ｓ１８に該当する。
【０１９９】
以下では、図６に示すフローチャートを中心に、制御装置４０のパラメータ設定時の動作について説明する。なお、ここでは、「Reference Signal Using Cell ＩＤ」のパラメータ値を設定および変更する場合を例に説明する。
【０２００】
図６に示すように、信号解析装置１０が所定の信号処理を行った状態において、操作部５０のメニュースイッチ５３が操作されると、制御装置４０は、ガイド機能を有効化させることにより、ＲＯＭ４２からプログラムを読み込んで、パラメータ表示制御部４０ａ、色表示制御部４０ｂ、パラメータ表示切替部４０ｃ、および、設定・更新部４０ｄの、４つの機能ブロックを設けるとともに、まずは、パラメータ表示制御部４０ａを動作させる（ステップＳ１１）。
【０２０１】
パラメータ表示制御部４０ａは、ＲＡＭ４１から設定および変更が可能なパラメータ６２を読み出し、図２に示したように、メイン表示部３１に表示させる（ステップＳ１２）。また、パラメータ表示制御部４０ａは、階層情報記憶部４３で管理されている階層情報管理テーブル４３ａに基づいて、サブ表示部３２のファンクション表示キーＦ１〜Ｆ８に、それぞれ、最上階層のパラメータをメインメニューとして表示させる。
【０２０２】
その際、パラメータ表示制御部４０ａは、色情報記憶部４４で管理されている表示色データ管理テーブル４４ａに基づいて、Ｆ１キーのメニュー「Frequency」が"茶色"により、Ｆ２キーのメニュー「Amplitude」が"赤色"により、Ｆ３キーのメニュー「Common Setting」が"橙色"により、Ｆ４キーのメニュー「Measure」が"黄色"により、Ｆ５キーのメニュー「Marker」が"緑色"により、Ｆ６キーのメニュー「Trigger」が"青色"により、Ｆ７キーのメニュー「Capture」が"紫色"により、Ｆ８キーのメニュー「Accessory」が"灰色"により、それぞれ表示されるように制御する。
【０２０３】
次いで、制御装置４０は、色表示制御部４０ｂを動作させる（ステップＳ１３）。色表示制御部４０ｂは、色情報記憶部４４で管理されている表示色データ管理テーブル４４ａに基づいて、メイン表示部３１に表示されたパラメータ６２のそれぞれが、各パラメータ６２に対応する、サブ表示部３２のファンクション表示キーＦ１〜Ｆ８の表示と同色となるように制御する。
【０２０４】
図７に示すように、本実施の形態においては、メイン表示部３１におけるパラメータ６２のうち、パラメータ６２ａの「Carrier Freq.」が、Ｆ１キーの「Frequency」と同色の"茶色"で表示される。また、パラメータ６２ｂの「Input Level」およびパラメータ６２ｃの「ＡＴＴ」が、Ｆ２キーの「Amplitude」と同色の"赤色"で表示される。また、パラメータ６２ｄの「Graph」およびパラメータ６２ｅの「ＥＶＭ vs Subcarrier」が、Ｆ８キーの「Accessory」と同色の"灰色"で表示される。
【０２０５】
また、パラメータ６２ｆの「Reference Signal Using Cell ＩＤ」、パラメータ６２ｇの「Modulation」およびパラメータ６２ｈの「Channel Bandwidth」が、Ｆ３キーの「Common Setting」と同色の"橙色"で表示される。したがって、パラメータ６２ｆの「Reference Signal Using Cell ＩＤ」のパラメータ値を設定および変更しようとする場合、ユーザは、操作の手順として、まず、ファンクション表示キーＦ３に対応するファンクション操作キー５１ｃを操作すればよいことを直感的に理解できる。
【０２０６】
ユーザによって、Ｆ３キーに対応するファンクション操作キー５１ｃが操作されると（ステップＳ１４のＹＥＳ）、制御装置４０は、階層情報管理テーブル４３ａの最上階層のテーブル４３Ａに基づいて、階層関係にある下階層のサブメニュー（第１のサブメニュー）があるか否かを判断する（ステップＳ１５）。
【０２０７】
第１のサブメニューがあると判断すると（ステップＳ１５のＹＥＳ）、制御装置４０は、パラメータ表示切替部４０ｃを動作させる（ステップＳ１６）。パラメータ表示切替部４０ｃは、階層情報管理テーブル４３ａの最上階層のテーブル４３Ａに基づいて、ファンクション表示キーＦ１〜Ｆ８でのパラメータの表示を、操作されたファンクション操作キー５１ｃに対応するメインメニュー「Common Setting」の、下階層の第１のサブメニュー（Ｐ３）に切り替える。
【０２０８】
図８に示すように、本実施の形態においては、下階層のテーブル４３Ｂ−1cに基づいて、メインメニュー「Common Setting」に対応する下階層としての第１のサブメニューである「Channel Bandwidth  ５ＭＨｚ」がＦ１キーに、「Test Model  Ｏｆｆ」がＦ２キーに、「Synchronization Mode  ＳＳ」がＦ３キーに、「Reference Signal」がＦ４キーに、それぞれ表示される。
【０２０９】
なお、この第１のサブメニューに、メイン表示部３１に表示されるパラメータ６２に対応するメニューが存在しない場合、サブ表示部３２において、メニューが存在しないファンクション表示キーＦ５〜Ｆ８を非表示状態とする。このようにすることで、キー入力操作に用いるファンクション表示キーの表示数を減らすことが可能となり、よりスムーズなキー入力操作を実現できる。
【０２１０】
この後、制御装置４０は、ステップＳ１３〜を繰り返す、つまり、色表示制御部４０ｂを再び動作させ、表示色データ管理テーブル４４ａに基づいて、Ｆ１キーの「Channel Bandwidth  ５ＭＨｚ」を"茶色"で、Ｆ２キーの「Test Model Ｏｆｆ」を"赤色"で、Ｆ３キーの「Synchronization Mode  ＳＳ」を"橙色"で、Ｆ４キーの「Reference Signal」を"黄色"で、それぞれ表示させる。
【０２１１】
また、色表示制御部４０ｂは、表示色データ管理テーブル４４ａに基づいて、パラメータ６２ｆの「Reference Signal Using Cell ＩＤ」をＦ４キーの「Reference Signal」と同色の"黄色"で、パラメータ６２ｇの「Modulation」をＦ２キーの「Test Model Ｏｆｆ」と同色の"赤色"で、パラメータ６２ｈの「Channel Bandwidth」をＦ１キーの「Channel Bandwidth  ５ＭＨｚ」と同色の"茶色"で、それぞれ表示させる。
【０２１２】
この状況においても、パラメータ値を設定および変更しようとするパラメータ６２ｆの「Reference Signal Using Cell ＩＤ」と同色により、次に操作すべきファンクション表示キーＦ４が１つに特定されるので、信号解析装置１０のパラメータ設定時の操作手順を熟知していなくても、迷うことなしに、操作することが可能となる。
【０２１３】
上記と同様にして、ユーザによって、Ｆ４キーに対応するファンクション操作キー５１ｄが操作されると（ステップＳ１４のＹＥＳ）、制御装置４０は、階層情報管理テーブル４３ａの下階層のテーブル４３Ｂ−1cに基づいて、階層関係にある下階層のサブメニュー（第２のサブメニュー）があるか否かを判断する（ステップＳ１５）。
【０２１４】
第２のサブメニューがあると判断すると（ステップＳ１５のＹＥＳ）、制御装置４０は、再度、パラメータ表示切替部４０ｃを動作させる（ステップＳ１６）。パラメータ表示切替部４０ｃは、階層情報管理テーブル４３ａの下階層のテーブル４３Ｂ−1cに基づいて、ファンクション表示キーＦ１〜Ｆ８でのパラメータの表示を、操作されたファンクション操作キー５１ｄに対応するメインメニュー「Reference Signal」の、下階層の第２のサブメニュー（Ｐ３−４）に切り替える。
【０２１５】
図９に示すように、本実施の形態においては、図示していない下階層のテーブルに基づいて、第１のサブメニュー「Reference Signal」に対応する下階層としての第２のサブメニューである「Reference Signal Mode Using Cell ＩＤ」がＦ１キーに、「Reference Signal Load」がＦ２キーに、「Frequency Shift  ０」がＦ３キーに、「Cell ＩＤ  ０」がＦ４キーに、「Power Boosting  ０．０００ｄＢ」がＦ５キーに、「Number of Antenna Ports  １  ２  ４」がＦ６キーに、「Antenna Ports  ０」がＦ７キーに、それぞれ表示される。なお、ファンクション表示キーＦ８は非表示状態となっている。
【０２１６】
この後、制御装置４０は、ステップＳ１３において、色表示制御部４０ｂを動作させ、表示色データ管理テーブル４４ａに基づいて、Ｆ１キーの「Reference Signal Mode Using Cell ＩＤ」を"茶色"で、Ｆ２キーの「Reference Signal Load」を"赤色"で、Ｆ３キーの「Frequency Shift  ０」を"橙色"で、Ｆ４キーの「Cell  ＩＤ」を"黄色"で、Ｆ５キーの「Power Boosting  ０．０００ｄＢ」を"緑色"で、Ｆ６キーの「Number of Antenna Ports  １  ２  ４」を"青色"で、Ｆ７キーの「Antenna Ports  ０」を"紫色"で、それぞれ表示させる。
【０２１７】
また、色表示制御部４０ｂは、表示色データ管理テーブル４４ａに基づいて、パラメータ６２ｆの「Reference Signal Using Cell ＩＤ」を、Ｆ１キーの「Reference Signal Mode Using Cell ＩＤ」と同色の"茶色"で表示させる。
【０２１８】
制御装置４０は、ステップＳ１５において、階層関係にある下階層のサブメニューがないと判断するまで、上記のステップＳ１３〜Ｓ１６を繰り返す。
【０２１９】
これ以上のサブメニューがないと判断すると（ステップＳ１５のＮＯ）、制御装置４０は、操作部５０より設定および変更すべきパラメータ値が入力されたことを条件として、設定・更新部４０ｄを動作させる。
【０２２０】
設定・更新部４０ｄは、操作部５０より入力された設定および変更すべきパラメータ値に基づいて、ＲＡＭ４１における、対応するパラメータ６２ｆのパラメータ値を更新する（ステップＳ１７，Ｓ１８）。
【０２２１】
このようにして、パラメータ６２ｆのパラメータ値の更新が行われると、「Reference Signal Using Cell ＩＤ」のパラメータ値の設定および変更に係る一連の処理が終了される。
【０２２２】
上記したように、本実施の形態における信号解析装置１０は、メイン表示部３１に選択的に表示されるパラメータ値の設定および変更が可能な各パラメータ６２が、サブ表示部３２の複数のファンクション表示キーＦ１〜Ｆ８にそれぞれ表示されるメニューと同一色により表示されるようにしているので、所望のパラメータ値を設定および変更するために操作すべきファンクション表示キーＦ１〜Ｆ８を、予め決められた"異なる色"によって特定させることが可能となる。
【０２２３】
すなわち、ガイド機能が有効化されることにより、信号解析装置１０の制御装置４０は、パラメータ表示制御部４０ａによって、階層情報管理テーブル４３ａに基づき、メイン表示部３１にパラメータ値の設定および変更が可能な各パラメータ６２を表示させるとともに、サブ表示部３２のファンクション表示キーＦ１〜Ｆ８のそれぞれに、各パラメータ６２に対応するメニューを表示させる。また、制御装置４０の色表示制御部４０ｂが、表示色データ管理テーブル４４ａに基づいて、メイン表示部３１の各パラメータ６２の表示色と、ファンクション表示キーＦ１〜Ｆ８のメニューの表示色と、が１対１に対応するように制御する。
【０２２４】
これにより、たとえパラメータ数の増加に伴ってパラメータの階層構造がより複雑化したとしても、ユーザが所望のパラメータ６２のパラメータ値を設定および変更するために操作すべきファンクション表示キーＦ１〜Ｆ８を明確にすることが可能となる。
【０２２５】
したがって、各パラメータの階層関係を把握していないユーザであったとしても、所望のパラメータ値を設定および変更する際においては、特別なポインティングデバイスを用いたりすることなしに、最短の手順によりパラメータ値の設定および変更が可能になるなど、常に最良な操作手順を案内できるようになるものである。
【０２２６】
なお、上記した本実施の形態においては、ファンクション表示キーをＦ１〜Ｆ８の８つとした場合について説明したが、これに限定されるものではない。
【０２２７】
また、ファンクション表示キーＦ１〜Ｆ８に割り当てられる各表示色データも一例であって、任意に決定できるとともに、各ファンクション表示キーＦ１〜Ｆ８に対する表示色データの割り当てを変更できるようにしてもよい。
【０２２８】
また、階層情報管理テーブル４３ａおよび表示色データ管理テーブル４４ａについては、両方またはいずれか一方を、ＲＯＭ４２に格納させるように構成することも可能である。
【０２２９】
また、「Reference Signal Using Cell ＩＤ」６２ｆのパラメータ値を設定および変更する場合に限定されるものでないことは、勿論である。
【０２３０】
また、パラメータ６２およびファンクション表示キーＦ１〜Ｆ８は、表示される所定の文字の色を制御すること、または、文字を含む所定の範囲（エリア）の色を制御する場合など、各種の応用が可能である。
【０２３１】
また、サブ表示部３２のファンクション表示キーＦ１〜Ｆ８の色を異ならせる場合について説明したが、これに限らず、例えば、ファンクション表示キーＦ１〜Ｆ８に代えて、操作部５０のファンクション操作キー５１ａ〜５１ｈの色を異ならせて表示するようにしてもよい。
【０２３２】
さらには、ファンクション表示キーＦ１〜Ｆ８の色を異ならせるとともに、該ファンクション表示キーＦ１〜Ｆ８と同じ色でファンクション操作キー５１ａ〜５１ｈを表示するようにしてもよい。
【０２３３】
（第１の変形例）
また、本実施の形態の他の例（第１の変形例）として、例えば、多数のパラメータ６２を一覧表示させた状態において、所望のパラメータ６２の設定および変更を可能とすることもできる。
【０２３４】
図１０に示すように、本変形例の場合、ガイド機能の有効化に伴って、メイン表示部３１には、パラメータ６２として、例えば、「Frequency  １．０００ ０００ＭＨｚ(Offset Ｏｆｆ)」６２ｉ、「Input Level  −１０ｄＢｍ（Offset Ｏｆｆ）」６２ｊ、「Bandwidth  ２０ＭＨｚ」６２ｋ、「Modulation  Ｅ−ＴＭ３．１」６２ｋ、「Reference Signal Using Cell ＩＤ」６２ｋ、「Parameter  ＊＊＊＊＊」６２ｋ、「Average  Ｏｎ（１０）」６２ｍ、「Trace Mode  ＥＶＭ vs Subcarrier Graph」６２ｍ、「Parameter  ＊＊＊＊＊」６２ｎ、「Parameter  ＊＊＊＊＊」６２ｐが、それぞれ表示される。
【０２３５】
なお、図示において、「Parameter」は特定のパラメータを示唆するものではなく、また、「＊」は任意の数値などである。
【０２３６】
一方、サブ表示部３２のファンクション表示キーＦ１〜Ｆ８には、メインメニューとして、例えば、「Frequency」、「Amplitude」、「Common Setting」、「Measure」、「Marker」、「Trigger」、「Capture」、「Accessory」が、それぞれ表示される。
【０２３７】
ファンクション表示キーＦ１の「Frequency」およびパラメータ６２の「Frequency  １．０００ ０００ＭＨｚ(Offset Ｏｆｆ)」６２ｉは、ともに、"茶色"で表示される。ファンクション表示キーＦ２の「Amplitude」およびパラメータ６２の「Input Level  −１０ｄＢｍ（Offset Ｏｆｆ）」６２ｊは、ともに、"赤色"で表示される。
【０２３８】
ファンクション表示キーＦ３の「Common Setting」およびパラメータ６２の「Bandwidth  ２０ＭＨｚ」６２ｋ、「Modulation  Ｅ−ＴＭ３．１」６２ｋ、「Reference Signal Using Cell ＩＤ」６２ｋ、「Parameter  ＊＊＊＊＊」６２ｋは、ともに、"橙色"で表示される。ファンクション表示キーＦ４の「Measure」およびパラメータ６２の「Average  Ｏｎ（１０）」６２ｍ、「Trace Mode  ＥＶＭ vs Subcarrier Graph」６２ｍは、ともに、"黄色"で表示される。
【０２３９】
ファンクション表示キーＦ５の「Marker」は、"茶色"で表示される。ファンクション表示キーＦ６の「Trigger」およびパラメータ６２の「Parameter  ＊＊＊＊＊」６２ｎは、ともに、"青色"で表示される。
【０２４０】
ファンクション表示キーＦ７の「Capture」およびパラメータ６２の「Parameter  ＊＊＊＊＊」６２ｐは、ともに、"紫色"で表示される。ファンクション表示キーＦ８の「Accessory」は、"灰色"で表示される。
【０２４１】
この状態において、例えば、「Average  Ｏｎ（１０）」６２ｍのパラメータ値を設定および変更しようとする場合、ユーザによって、ファンクション表示キーＦ４に対応するファンクション操作キー５１ｄが操作される。
【０２４２】
図１１に示すように、本変形例の場合、ファンクション操作キー５１ｄの操作に伴って、サブ表示部３２のファンクション表示キーＦ１〜Ｆ８の表示が、例えば、「Modulation Analysis」、「ＭＩＭＯ Summary」、「ＡＣＰ（ＦＦＴ）」、「ＡＣＰ（Swept）」、「Channel Power（ＦＦＴ）」、「Channel Power（Swept）」、「ＯＢＷ（ＦＦＴ）」、「ＯＢＷ（Swept）」に、それぞれ切り替わる。
【０２４３】
また、この切り替えに伴って、ファンクション表示キーＦ１の「Modulation Analysis」および「Average  Ｏｎ（１０）」６２ｑ、「Trace Mode  ＥＶＭ vs Subcarrier Graph」６２ｑが、ともに、"茶色"で表示される。
【０２４４】
また、ファンクション表示キーＦ２の「ＭＩＭＯ Summary」は"赤色"で、ファンクション表示キーＦ３の「ＡＣＰ（ＦＦＴ）」は"橙色"で、ファンクション表示キーＦ４の「ＡＣＰ（Swept）」は"黄色"で、ファンクション表示キーＦ５の「Channel Power（ＦＦＴ）」は"緑色"で、ファンクション表示キーＦ６の「Channel Power（Swept）」は"青色"で、ファンクション表示キーＦ７の「ＯＢＷ（ＦＦＴ）」は"紫色"で、それぞれ表示される。
【０２４５】
これに対し、ファンクション表示キーＦ８の「ＯＢＷ（Swept）」およびパラメータ６２の「Frequency  １．０００ ０００ＭＨｚ(Offset Ｏｆｆ)」６２ｒ、「Bandwidth  ２０ＭＨｚ」６２ｒ、「Modulation  Ｅ−ＴＭ３．１」６２ｒ、「Input Level  −１０ｄＢｍ（Offset Ｏｆｆ）」６２ｒ、「Reference Signal Using Cell ＩＤ」６２ｒ、「Parameter  ＊＊＊＊＊」６２ｒは、ともに、"灰色"で表示される。
【０２４６】
この状態においては、さらに、ユーザによって、Ｆ１キーに対応するファンクション操作キー５１ａが操作される。
【０２４７】
図１２に示すように、本変形例の場合、ファンクション操作キー５１ａの操作に伴って、サブ表示部３２のファンクション表示キーＦ１〜Ｆ８の表示が、例えば、「Analysis Time」、「ＰＤＳＣＨ Modulation Scheme ＡＵＴＯ」、「Channel Bandwidth  ５ＭＨｚ」、「  −（表示なし）  」、「Total ＥＶＭ ＆ Constellation Composite」、「ＥＶＭ Windows（登録商標） Length  ３２」、「Detail Settings」、「Optical Measurements On/Off」に、それぞれ切り替わる。
【０２４８】
また、この切り替えに伴って、ファンクション表示キーＦ８の「Optical Measurements On/Off」およびパラメータ６２の「Frequency  １．０００ ０００ＭＨｚ(Offset Ｏｆｆ)」６２ｓ、「Bandwidth  ２０ＭＨｚ」６２ｓ、「Modulation  Ｅ−ＴＭ３．１」６２ｓ、「Input Level  −１０ｄＢｍ（Offset Ｏｆｆ）」６２ｓ、「Reference Signal Using Cell ＩＤ」６２ｓ、「Parameter  ＊＊＊＊＊」６２ｓが、ともに、"灰色"で表示される。
【０２４９】
これにより、パラメータ６２において、「Average  Ｏｎ（１０）」のパラメータ値と「Trace Mode  ＥＶＭ vs Subcarrier Graph」のパラメータ値とを、同時に、設定および変更することが可能となる。
【０２５０】
本変形例のように、メイン表示部３１に多数のパラメータ６２を一括して表示できるようにした場合には、より多くのパラメータ６２の中から、場合によってはパラメータ値の設定および変更が可能な全パラメータ（全設定項目）６２の中から、所望のパラメータ６２を容易に選択できるようになる。
【０２５１】
図１３は、２頁目（２ of ２）のファンクション表示キーＦ１〜Ｆ８の表示例を示すものである。ここでは、図１１に示したファンクション表示キーＦ１〜Ｆ８を、１頁目（１ of ２）とした場合の例を示している。
【０２５２】
すなわち、１頁目のファンクション表示キーＦ１〜Ｆ８に、「Modulation Analysis」、「ＭＩＭＯ Summary」、「ＡＣＰ（ＦＦＴ）」、「ＡＣＰ（Swept）」、「Channel Power（ＦＦＴ）」、「Channel Power（Swept）」、「ＯＢＷ（ＦＦＴ）」、「ＯＢＷ（Swept）」を、それぞれ表示した状態（図１１参照）においては、２頁目のファンクション表示キーＦ１〜Ｆ８の、例えば、ファンクション表示キーＦ１には「Trace」が、ファンクション表示キーＦ８には「ＰＤＣＣＨ mapping Load」が、それぞれ表示される。
【０２５３】
この例の場合、ファンクション表示キーＦ１の「Trace」および「Average  Ｏｎ（１０）」６２ｑ、「Trace Mode  ＥＶＭ vs Subcarrier Graph」６２ｑが、ともに、"茶色"で表示される。
【０２５４】
また、ファンクション表示キーＦ８の「ＰＤＣＣＨ mapping Load」およびパラメータ６２の「Frequency  １．０００ ０００ＭＨｚ(Offset Ｏｆｆ)」６２ｒ、「Bandwidth  ２０ＭＨｚ」６２ｒ、「Modulation  Ｅ−ＴＭ３．１」６２ｒ、「Input Level  −１０ｄＢｍ（Offset Ｏｆｆ）」６２ｒ、「Reference Signal Using Cell ＩＤ」６２ｒ、「Parameter  ＊＊＊＊＊」６２ｒは、ともに、"灰色"で表示される。
【０２５５】
この例の場合のように、対応するパラメータが存在しないファンクション表示キーＦ２〜Ｆ７を表示させないようにすることで、キー入力操作に用いるファンクション表示キーの表示数を減らすことが可能となり、選択の操作が容易になるなど、よりスムーズなキー入力操作を実現できる。
【０２５６】
なお、図１２に示したように、第１の変形例においては、パラメータ６２である「Average  Ｏｎ（１０）」と「Trace Mode  ＥＶＭ vs Subcarrier Graph」とを同時に設定および変更できるようにしたが、これらを個別に行うようにすることも可能である。
【０２５７】
（第２の変形例）
すなわち、本実施の形態のさらに別の例として、例えば、「Average  Ｏｎ（１０）」のパラメータ値の設定および変更と、「Trace Mode  ＥＶＭ vs Subcarrier Graph」のパラメータ値の設定および変更と、を個別に可能とすることもできる。
【０２５８】
図１４に示すように、例えば、多数のパラメータ６２を一覧表示させた状態において、サブ表示部３２のファンクション表示キーＦ１〜Ｆ８には、「Trace Mode」、「Constellation Display Range」、「Scale」、「Storage」、「  −  」、「Subcarrier Number  ０」、「Symbol Number  ０」、「ＥＶＭ vs Subcarrier View」が、それぞれ表示される。
【０２５９】
その際、ファンクション表示キーＦ１の「Trace Mode」および「Trace Mode  ＥＶＭ vs Subcarrier Graph」６２ｖが、ともに、"茶色"で表示される。また、ファンクション表示キーＦ４の「Storage」および「Average  Ｏｎ（１０）」６２ｗが、ともに、"黄色"で表示される。
【０２６０】
また、ファンクション表示キーＦ８の「ＥＶＭ vs Subcarrier View」およびパラメータ６２の「Frequency  １．０００ ０００ＭＨｚ(Offset Ｏｆｆ)」６２ｘ、「Bandwidth  ２０ＭＨｚ」６２ｘ、「Modulation  Ｅ−ＴＭ３．１」６２ｘ、「Input Level  −１０ｄＢｍ（Offset Ｏｆｆ）」６２ｘ、「Reference Signal Using Cell ＩＤ」６２ｘ、「Parameter  ＊＊＊＊＊」６２ｘは、ともに、"灰色"で表示される。
【０２６１】
本変形例において、例えば、「Average  Ｏｎ（１０）」６２ｗのパラメータ値を設定および変更しようとする場合には、その表示色から、ファンクション表示キーＦ４の「Storage」に対応するファンクション操作キー５１ｄを操作すればよいことが、容易に理解できる。
【０２６２】
同様に、例えば、「Trace Mode  ＥＶＭ vs Subcarrier Graph」６２ｖのパラメータ値を設定および変更しようとする場合には、その表示色から、ファンクション表示キーＦ１の「Trace Mode」に対応するファンクション操作キー５１ａを操作すればよいことが、容易に理解できる。
【０２６３】
なお、本実施の形態における信号解析装置１０においては、パラメータ６２のパラメータ値を設定および変更する場合に限らず、例えば、測定の結果６１を表示する際の形式を選択する場合にも適用できる。
【０２６４】
図１５に示すように、測定の結果６１がさまざまな形式により表示される場合において、表示の形式をユーザのニーズに応じて選択できるようにするためには、メイン表示部３１に、表示することが可能な形式として、例えば、「Graph Type1」ＧＴ１、「Graph Type2」ＧＴ２、「Graph Type3」ＧＴ３、「Graph Type4」ＧＴ４、「Graph Type5」ＧＴ５、「Graph Type6」ＧＴ６、「Summary Type1」ＳＴ１、「Summary Type2」ＳＴ２を、それぞれ表示させる。
【０２６５】
また、サブ表示部３２のファンクション表示キーＦ１〜Ｆ８に、例えば、「Graph Type1」、「Graph Type2」、「Graph Type3」、「Graph Type4」、「Graph Type5」、「Graph Type6」、「Summary Type1」、「Summary Type2」を、それぞれ表示させる。
【０２６６】
そして、ファンクション表示キーＦ１〜Ｆ８の、「Graph Type1」、「Graph Type2」、「Graph Type3」、「Graph Type4」、「Graph Type5」、「Graph Type6」、「Summary Type1」、「Summary Type2」を、例えば、"茶色"、"赤色"、"橙色"、"黄色"、"緑色"、"青色"、"紫色"、"灰色"で、それぞれ表示させるとともに、対応する「Graph Type1」ＧＴ１、「Graph Type2」ＧＴ２、「Graph Type3」ＧＴ３、「Graph Type4」ＧＴ４、「Graph Type5」ＧＴ５、「Graph Type6」ＧＴ６、「Summary Type1」ＳＴ１、「Summary Type2」ＳＴ２の表示が、それぞれ同色となるように制御する。
【０２６７】
このように、測定の結果６１を表示するための形式など、イメージとして表示した方が理解しやすいものの場合、形式を選択する操作が直観的に可能となるため、形式の切り替えをより単純化・的確化できるようになる。
【０２６８】
また、上記した本実施の形態においては、本発明に係る信号処理装置をスペクトラムアナライザなどの信号解析装置１０に適用した場合を例に説明したが、これに限らず、例えばスペクトラムアナライザ以外の汎用測定器にも同様に適用可能である。
【０２６９】
特に、画面表示の態様やスイッチ類の配列の順序が規則的でない装置の場合においても、簡単に所望のパラメータに辿り着くことが可能となる。
【０２７０】
その他、本発明は上記した実施の形態に限定されるものでなく、特許請求の範囲の技術的範囲には、発明の要旨を逸脱しない範囲内で種々、設計変更した形態が含まれる。
【０２７１】
以上により、本発明の信号処理装置および信号処理方法は、設定項目の階層構造が複雑化したとして、各設定項目の階層関係を把握せずとも、所望の設定項目値の設定および変更を効率よく行うことができるという効果を有し、スペクトラムアナライザなどの信号解析装置の全般に有用である。
【符号の説明】
【０２７２】
１０  信号解析装置（信号処理装置）
１０ａ  解析処理部(ＡＴＴ１１、局部発振器１２、周波数混合器１３、ＩＦフィルタ１５、ＩＦ増幅器１６、検波器１７、ビデオ・フィルタ１８などの信号処理手段)
３０  表示装置（表示手段）
３１  メイン表示部（主表示画面）
３２  サブ表示部（副表示画面）
４０  制御装置（制御手段）
４０ａ  パラメータ表示制御部（設定項目表示制御手段）
４０ｂ  色表示制御部（色表示制御手段）
４０ｃ  パラメータ表示切替部（メニュー切替手段）
４０ｄ  設定・更新部（更新手段）
４１  ＲＡＭ（保存手段）
４２  ＲＯＭ（格納手段）
４３  階層情報記憶部（階層情報記憶手段）
４３ａ  階層情報管理テーブル（階層情報）
４４  色情報記憶部（色情報割当手段）
４４ａ  表示色データ管理テーブル（色情報）
５０  操作部（操作手段）
５１ａ〜５１ｈ  ファンクション操作キー
５３  メニュースイッチ
６１  測定の結果
６２（６２ａ〜６２ｘ）  パラメータ（設定項目）
Ｆ１〜Ｆ８  ファンクション表示キー（ファンクションキー）
Ｓ  入力信号（被測定信号）
α  グラフ
【図１】
2015052519.tif 000003
【図２】
2015052519.tif 000004
【図３】
2015052519.tif 000005
【図４】
2015052519.tif 000006
【図５】
2015052519.tif 000007
【図６】
2015052519.tif 000008
【図７】
2015052519.tif 000009
【図８】
2015052519.tif 000010
【図９】
2015052519.tif 000011
【図１０】
2015052519.tif 000012
【図１１】
2015052519.tif 000013
【図１２】
2015052519.tif 000014
【図１３】
2015052519.tif 000015
【図１４】
2015052519.tif 000016
【図１５】
2015052519.tif 000017